(57)【要約】  ワイヤレス通信のための方法、システム、およびデバイスが記載される。ユーザ機器（ＵＥ）は、キャリアアグリゲーション（ＣＡ）動作用に構成され得る。ＣＡ構成は、拡張コンポーネントキャリア（ｅＣＣ）を含む複数のコンポーネントキャリア（ＣＣ）を含み得る。ＣＡ構成の１つのＣＣは、ＣＡ構成の別のＣＣのチャネル利用可能性をシグナリングするために利用され得る。たとえば、認可周波数帯域幅を利用するプライマリＣＣは、無認可周波数帯域幅を利用するｅＣＣのチャネル利用可能性をシグナリングし得る。チャネル利用可能性のこのインジケーションは、クリアチャネルアセスメント（ＣＣＡ）の前または後に送られ得る。加えて、チャネル利用可能性のインジケーションは、セルフスケジューリング構成とクロスキャリアスケジューリング構成の両方において利用され得る。【選択図】図６
2018506927.tif 000002
【特許請求の範囲】
【請求項１】
ワイヤレス通信の方法であって、
第１のコンポーネントキャリア（ＣＣ）と第２のＣＣとを備えるキャリアアグリゲーション（ＣＡ）構成を示すシグナリングを受信すること、ここにおいて、前記第１のＣＣは、プライマリキャリアを備え、前記第２のＣＣは、セカンダリキャリアを備える、と、
前記第２のＣＣ上のチャネル利用可能性を示す制御信号を前記第１のＣＣ上で受信することと
を備える、方法。
【請求項２】
前記プライマリキャリアは、認可周波数帯域幅を利用し、前記セカンダリキャリアは、無認可周波数帯域幅を利用する、
請求項１に記載の方法。
【請求項３】
前記プライマリキャリアは、無認可周波数帯域幅を利用し、前記セカンダリキャリアは、別の無認可周波数帯域幅を利用する、
請求項１に記載の方法。
【請求項４】
前記受信された制御信号に応答して前記第２のＣＣをモニタすることをさらに備える、
請求項１に記載の方法。
【請求項５】
前記モニタすることに少なくとも部分的に基づいてモニタリングタイマーを始動することをさらに備える、
請求項４に記載の方法。
【請求項６】
前記第２のＣＣ上でプリアンブル送信を受信することと、
前記受信されたプリアンブル送信に応答して前記モニタリングタイマーを再始動することと
をさらに備える、請求項５に記載の方法。
【請求項７】
プリアンブル送信が前記第２のＣＣ上で受信される前に前記モニタリングタイマーが満了したと決定することと、
前記第２のＣＣを前記モニタすることを終了することと
をさらに備える、請求項５に記載の方法。
【請求項８】
前記第２のＣＣ上の物理ダウンリンク制御チャネル（ＰＤＣＣＨ）メッセージまたは物理ダウンリンク共有チャネル（ＰＤＳＣＨ）メッセージを受信することをさらに備え、前記ＰＤＣＣＨメッセージまたはＰＤＳＣＨメッセージは、前記第２のＣＣのリソースをスケジュールする、
請求項４に記載の方法。
【請求項９】
前記第１のＣＣ上の物理ダウンリンク制御チャネル（ＰＤＣＣＨ）メッセージを受信することをさらに備え、前記ＰＤＣＣＨメッセージは、前記第２のＣＣのリソースをスケジュールする、
請求項１に記載の方法。
【請求項１０】
前記第１のＣＣの送信時間間隔（ＴＴＩ）の持続時間は、前記第２のＣＣのＴＴＩの持続時間とは異なり、前記ＰＤＣＣＨメッセージは、前記第１のＣＣのＴＴＩ内で送信され、前記第１のＣＣの前記ＴＴＩと時間的に少なくとも部分的に重複する前記第２のＣＣのＴＴＩを割り当てる、
請求項９に記載の方法。
【請求項１１】
前記制御信号を受信した後に第１の確定的時間において開始する前記ＰＤＣＣＨメッセージに対する前記第１のＣＣをモニタすることと、
前記制御信号を受信した後に第２の確定的時間において開始する前記第２のＣＣをモニタすることと
をさらに備え、
前記第１の確定的時間は、前記第１のＣＣのいくつかのＴＴＩを備え、前記第２の確定的時間は、前記第２のＣＣのいくつかのＴＴＩを備える、
請求項１０に記載の方法。
【請求項１２】
前記第１のＣＣのＴＴＩの持続時間は、前記第２のＣＣのＴＴＩの持続時間とは異なり、前記ＰＤＣＣＨメッセージは、前記第１のＣＣのＴＴＩ内で送信され、前記第１のＣＣの後続のＴＴＩと時間的に少なくとも部分的に重複する前記第２のＣＣのＴＴＩを割り当てる、
請求項９に記載の方法。
【請求項１３】
前記制御信号を受信した後に第１の確定的時間において開始する前記ＰＤＣＣＨメッセージについて前記第１のＣＣをモニタすることと、
前記ＰＤＣＣＨメッセージを受信したことに応答してデータチャネルについて前記第２のＣＣをモニタすることと
をさらに備える、請求項１２に記載の方法。
【請求項１４】
前記制御信号は、物理チャネルを備える、
請求項１に記載の方法。
【請求項１５】
前記制御信号は、前記第１のＣＣの前記帯域幅のサブバンドを備える、
請求項１４に記載の方法。
【請求項１６】
前記物理チャネルは、前記制御信号を受信すると前記第２のＣＣをモニタするように構成されたユーザ機器（ＵＥ）に対する物理ダウンリンク制御チャネル（ＰＤＣＣＨ）フォーマットを備える、
請求項１４に記載の方法。
【請求項１７】
前記プライマリキャリアは、プライマリコンポーネントキャリア（ＰＣＣ）を備え、前記セカンダリキャリアは、拡張コンポーネントキャリア（ｅＣＣ）を備える、
請求項１に記載の方法。
【請求項１８】
ワイヤレス通信のための装置であって、
第１のコンポーネントキャリア（ＣＣ）と第２のＣＣとを備えるキャリアアグリゲーション（ＣＡ）構成を示すシグナリングを受信するための手段、ここにおいて、前記第１のＣＣは、プライマリキャリアを備え、前記第２のＣＣは、セカンダリキャリアを備える、と、
前記第２のＣＣ上のチャネル利用可能性を示す制御信号を前記第１のＣＣ上で受信するための手段と
を備える、装置。
【請求項１９】
前記受信された制御信号に応答して前記第２のＣＣをモニタするための手段をさらに備える、
請求項１８に記載の装置。
【請求項２０】
前記モニタすることに少なくとも部分的に基づいてモニタリングタイマーを始動するための手段をさらに備える、
請求項１９に記載の装置。
【請求項２１】
前記第２のＣＣ上でプリアンブル送信を受信するための手段と、
前記受信されたプリアンブル送信に応答して前記モニタリングタイマーを再始動するための手段と
をさらに備える、請求項２０に記載の装置。
【請求項２２】
プリアンブル送信が前記第２のＣＣ上で受信される前に前記モニタリングタイマーが満了したと決定するための手段と、
前記第２のＣＣを前記モニタすることを終了するための手段と
をさらに備える、請求項２０に記載の装置。
【請求項２３】
前記第２のＣＣ上の物理ダウンリンク制御チャネル（ＰＤＣＣＨ）メッセージまたは物理ダウンリンク共有チャネル（ＰＤＳＣＨ）メッセージを受信するための手段をさらに備え、前記ＰＤＣＣＨメッセージまたは前記ＰＤＳＣＨメッセージは、前記第２のＣＣのリソースをスケジュールする、
請求項１９に記載の装置。
【請求項２４】
前記第１のＣＣ上の物理ダウンリンク制御チャネル（ＰＤＣＣＨ）メッセージを受信するための手段をさらに備え、前記ＰＤＣＣＨメッセージは、前記第２のＣＣのリソースをスケジュールする、
請求項１８に記載の装置。
【請求項２５】
前記第１のＣＣの送信時間間隔（ＴＴＩ）の持続時間は、前記第２のＣＣのＴＴＩの持続時間とは異なり、前記ＰＤＣＣＨメッセージは、前記第１のＣＣのＴＴＩ内で送信され、前記第１のＣＣの前記ＴＴＩと時間的に少なくとも部分的に重複する前記第２のＣＣのＴＴＩを割り当てる、
請求項２４に記載の装置。
【請求項２６】
前記制御信号を受信した後に第１の確定的時間において開始する前記ＰＤＣＣＨメッセージについて前記第１のＣＣをモニタするための手段と、
前記制御信号を受信した後に第２の確定的時間において開始する前記第２のＣＣをモニタするための手段と
をさらに備え、
前記第１の確定的時間は、前記第１のＣＣのいくつかのＴＴＩを備え、前記第２の確定的時間は、前記第２のＣＣのいくつかのＴＴＩを備える、
請求項２５に記載の装置。
【請求項２７】
前記第１のＣＣのＴＴＩの持続時間は、前記第２のＣＣのＴＴＩの持続時間とは異なり、前記ＰＤＣＣＨメッセージは、前記第１のＣＣのＴＴＩ内で送信され、前記第１のＣＣの後続のＴＴＩと時間的に少なくとも部分的に重複する前記第２のＣＣのＴＴＩを割り当てる、
請求項２４に記載の装置。
【請求項２８】
前記制御信号を受信した後に第１の確定的時間において開始する前記ＰＤＣＣＨメッセージについて前記第１のＣＣをモニタするための手段と、
前記ＰＤＣＣＨメッセージを受信したことに応答してデータチャネルについて前記第２のＣＣをモニタするための手段と
をさらに備える、請求項２７に記載の装置。
【請求項２９】
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
第１のコンポーネントキャリア（ＣＣ）と第２のＣＣとを備えるキャリアアグリゲーション（ＣＡ）構成を示すシグナリングを受信すること、ここにおいて、前記第１のＣＣは、プライマリキャリアを備え、前記第２のＣＣは、セカンダリキャリアを備える、と、
前記第２のＣＣ上のチャネル利用可能性を示す制御信号を前記第１のＣＣ上で受信することと
を行わせるように動作可能である、装置。
【請求項３０】
ワイヤレス通信のためのコードを記憶する非一時的コンピュータ可読媒体であって、前記コードは
第１のコンポーネントキャリア（ＣＣ）と第２のＣＣとを備えるキャリアアグリゲーション（ＣＡ）構成を示すシグナリングを受信すること、ここにおいて、前記第１のＣＣは、プライマリキャリアを備え、前記第２のＣＣは、セカンダリキャリアを備える、と、
前記第２のＣＣ上のチャネル利用可能性を示す制御信号を前記第１のＣＣ上で受信することと
を行うように実行可能な命令を備える、非一時的コンピュータ可読媒体。
【発明の詳細な説明】
【相互参照】
【０００１】
[0001]本特許出願は、各々が本出願の譲受人に譲渡された、２０１６年２月１７日に出願された、「Ｆａｓｔ  Ｅｎｈａｎｃｅｄ  Ｃｏｍｐｏｎｅｎｔ  Ｃａｒｒｉｅｒ  Ａｃｔｉｖａｔｉｏｎ」と題する、Ｄａｍｎｊａｎｏｖｉｃらによる米国特許出願第１５／０４５，４２３号、および２０１５年２月２７日に出願された、「Ｆａｓｔ  ｅＣＣ  Ａｃｔｉｖａｔｉｏｎ」と題する、Ｄａｍｎｊａｎｏｖｉｃらによる米国仮特許出願第６２／１２６，４１４号の優先権を主張する。
【背景技術】
【０００２】
[0002]以下は、一般にワイヤレス通信に関し、より詳細には、高速拡張コンポーネントキャリア（ｅＣＣ：fast enhanced component carrier）アクティベーションに関する。ワイヤレス通信システムは、音声、ビデオ、パケットデータ、メッセージング、およびブロードキャストなどの様々なタイプの通信内容を提供するために広く展開されている。これらのシステムは、利用可能なシステムリソース（たとえば、時間、周波数、および電力）を共有することにより、複数のユーザとの通信をサポートすることができる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、Ｌｏｎｇ  Ｔｅｒｍ  Ｅｖｏｌｕｔｉｏｎ（ＬＴＥ（登録商標））システム）を含む。ワイヤレス多元接続通信システムは、場合によってはユーザ機器（ＵＥ）として知られ得る、複数の通信デバイスのための通信を各々が同時にサポートする、いくつかの基地局を含み得る。
【０００３】
[0003]いくつかの場合には、ワイヤレス通信システムは、制御情報およびデータをデバイス間で交換するために無認可周波数スペクトルを利用し得る。このスペクトルの周波数リソースは複数の競合するユーザおよびシステム事業者によって共有されることがあるので、デバイスは、そのようなリソースが通信のために利用可能であるかどうかを決定するためにそのようなリソースをモニタする必要がある。そのようなモニタリングを実行するデバイスは、モニタリングの低減または計画されたモニタリングによって保存され得るかなりのリソース（たとえば、電力、時間、など）を消耗する場合がある。
【発明の概要】
【０００４】
[0004]ユーザ機器（ＵＥ）は、認可周波数帯域幅を利用する第１のコンポーネントキャリア（ＣＣ）と無認可周波数帯域幅を利用する第２のＣＣとを用いて構成され得る。ＵＥは、第２のＣＣ上のチャネル利用可能性を示し得る制御信号を第１のＣＣ上で受信し得る。いくつかの例では、ＵＥは、チャネル利用可能性のインジケーションを受信すると、第２のＣＣをモニタし得る。いくつかの場合には、ＵＥは、モニタリングタイマーを始動してよく、ＵＥは、基地局が第２のＣＣのチャネルを確保したとＵＥが決定する前にタイマーが満了した場合にモニタリングを終了してよい。高速ｅＣＣアクティベーションは、セルフスケジュールされたＣＣとクロスキャリアスケジュールされたＣＣの両方に対してサポートされ得る。たとえば、ＵＥは、第２のＣＣのリソースをスケジュールし得る第２のＣＣ上の物理ダウンリンク制御チャネル（ＰＤＣＣＨ）メッセージまたは物理ダウンリンク共有チャネル（ＰＤＳＣＨ）メッセージを受信し得る。いくつかの例では、ＵＥは、第２のＣＣのリソースをスケジュールし得るＰＤＣＣＨメッセージを第１のＣＣ上で受信し得る。
【０００５】
[0005]ワイヤレス通信の方法が説明される。方法は、第１のＣＣと第２のＣＣとを備えるＣＡ構成を示すシグナリングを受信すること、ここにおいて、第１のＣＣはプライマリキャリアを備え、第２のＣＣはセカンダリキャリアを備える、と、第２のＣＣ上のチャネル利用可能性を示す制御信号を第１のＣＣ上で受信することとを含み得る。
【０００６】
[0006]ワイヤレス通信のための装置が説明される。装置は、第１のＣＣと第２のＣＣとを備えるＣＡ構成を示すシグナリングを受信するための手段と、ここにおいて、第１のＣＣはプライマリキャリアを備え、第２のＣＣはセカンダリキャリアを備える、第２のＣＣ上のチャネル利用可能性を示す制御信号を第１のＣＣ上で受信するための手段とを含み得る。
【０００７】
[0007]ワイヤレス通信のためのさらなる装置が説明される。装置は、プロセッサと、プロセッサと電子通信しているメモリと、メモリに記憶された命令とを含んでよく、この命令は、プロセッサによって実行されたとき装置に、第１のＣＣと第２のＣＣとを備えるＣＡ構成を示すシグナリングを受信することと、ここにおいて、第１のＣＣはプライマリキャリアを備え、第２のＣＣはセカンダリキャリアを備える、第２のＣＣ上のチャネル利用可能性を示す制御信号を第１のＣＣ上で受信することとを行わせるように動作可能である。
【０００８】
[0008]ワイヤレス通信のためのコードを記憶する非一時的コンピュータ可読媒体が説明される。コードは、第１のＣＣと第２のＣＣとを備えるＣＡ構成を示すシグナリングを受信すること、ここにおいて、第１のＣＣはプライマリキャリアを備え、第２のＣＣはセカンダリキャリアを備える、と、第２のＣＣ上のチャネル利用可能性を示す制御信号を第１のＣＣ上で受信することとを行うように実行可能な命令を含み得る。
【０００９】
[0009]本明細書で説明される方法、装置、または非一時的コンピュータ可読媒体のいくつかの例は、受信された制御信号に応答して第２のＣＣをモニタするためのプロセス、機能、手段または命令をさらに含み得る。いくつかの場合には、プライマリキャリアは認可周波数帯域幅を利用してよく、セカンダリキャリアは無認可周波数帯域幅を利用してよい。時々、プライマリキャリアは無認可周波数帯域幅を利用してよく、セカンダリキャリアは別の無認可周波数帯域幅を利用する。追加または代替として、いくつかの例は、モニタリングに少なくとも部分的に基づいてモニタリングタイマーを始動するためのプロセス、機能、手段または命令を含み得る。
【００１０】
[0010]本明細書で説明される方法、装置、または非一時的コンピュータ可読媒体のいくつかの例は、第２のＣＣ上でプリアンブル送信を受信し、受信されたプリアンブル送信に応答してモニタリングタイマーを再始動するためのプロセス、機能、手段、または命令をさらに含み得る。追加または代替として、いくつかの例は、プリアンブル送信が第２のＣＣ上で受信される前にモニタリングタイマーが満了したと決定して第２のＣＣのモニタリングを終了するためのプロセス、機能、手段または命令を含み得る。
【００１１】
[0011]本明細書で説明される方法、装置、または非一時的コンピュータ可読媒体のいくつかの例は、第２のＣＣ上でＰＤＣＣＨまたはＰＤＳＣＨのメッセージを受信するためのプロセス、機能、手段または命令をさらに含んでよく、ＰＤＣＣＨまたはＰＤＳＣＨのメッセージは第２のＣＣリソースをスケジュールする。追加または代替として、いくつかの例は、第１のＣＣ上でＰＤＣＣＨメッセージを受信するためのプロセス、機能、手段または命令を含んでよく、ＰＤＣＣＨメッセージは第２のＣＣのリソースをスケジュールする。
【００１２】
[0012]本明細書で説明される方法、装置、または非一時的コンピュータ可読媒体のいくつかの例では、第１のＣＣの送信時間間隔（ＴＴＩ）の持続時間は第２のＣＣのＴＴＩの持続時間とは異なり、ＰＤＣＣＨメッセージは、第１のＣＣのＴＴＩ内で送信され、第１のＣＣのＴＴＩと時間的に少なくとも部分的に重複する第２のＣＣのＴＴＩを割り当てる。追加または代替として、いくつかの例は、制御信号を受信した後に第１の確定的時間において開始するＰＤＣＣＨメッセージについて第１のＣＣをモニタすることと、制御信号を受信した後に第２の確定的時間において開始する第２のＣＣをモニタすることとのためのプロセス、機能、手段または命令を含んでよく、第１の確定的時間は第１のＣＣのいくつかのＴＴＩを備え、第２の確定的時間は第２のＣＣのいくつかのＴＴＩを備える。
【００１３】
[0013]本明細書で説明される方法、装置、または非一時的コンピュータ可読媒体のいくつかの例では、第１のＣＣのＴＴＩの持続時間は第２のＣＣのＴＴＩの持続時間とは異なり、ＰＤＣＣＨメッセージは、第１のＣＣのＴＴＩ内で送信され、第１のＣＣの後続のＴＴＩと時間的に少なくとも部分的に重複する第２のＣＣのＴＴＩを割り当てる。追加または代替として、いくつかの例は、制御信号を受信した後の第１の確定的時間において開始するＰＤＣＣＨメッセージについて第１のＣＣをモニタすることと、ＰＤＣＣＨメッセージを受信したことに応答してデータチャネルについて第２のＣＣをモニタすることとのためのプロセス、機能、手段または命令を含み得る。
【００１４】
[0014]本明細書で説明される方法、装置、または非一時的コンピュータ可読媒体のいくつかの例では、制御信号は物理チャネルを備える。追加または代替として、いくつかの例では、制御信号は第１のＣＣの帯域幅のサブバンドを備える。
【００１５】
[0015]本明細書で説明される方法、装置、または非一時的コンピュータ可読媒体のいくつかの例では、物理チャネルは、制御信号を受信すると第２のＣＣをモニタするように構成されたＵＥに対するＰＤＣＣＨフォーマットを備える。追加または代替として、いくつかの例では、プライマリキャリアはＰＣＣを備え、セカンダリキャリアはｅＣＣを備える。
【００１６】
[0016]ワイヤレス通信の方法が説明される。方法は、第１のＣＣと第２のＣＣとを備えるキャリアアグリゲーション構成を示すシグナリングを送信すること、ここにおいて、第１のＣＣはプライマリキャリアを備え、第２のＣＣはセカンダリキャリアを備える、と、第２のＣＣ上のチャネル利用可能性を示す制御信号を第１のＣＣ上で送信することとを含み得る。
【００１７】
[0017]ワイヤレス通信のための装置が説明される。装置は、第１のＣＣと第２のＣＣとを備えるキャリアアグリゲーション構成を示すシグナリングを送信するための手段、ここにおいて、第１のＣＣはプライマリキャリアを備え、第２のＣＣはセカンダリキャリアを備える、と、第２のＣＣ上のチャネル利用可能性を示す制御信号を第１のＣＣ上で送信するための手段とを含み得る。
【００１８】
[0018]ワイヤレス通信のためのさらなる装置が説明される。装置は、プロセッサと、プロセッサと電子通信しているメモリと、メモリに記憶された命令とを含んでよく、この命令は、プロセッサによって実行されたとき装置に、第１のＣＣと第２のＣＣとを備えるキャリアアグリゲーション構成を示すシグナリングを送信すること、ここにおいて、第１のＣＣはプライマリキャリアを備え、第２のＣＣはセカンダリキャリアを備える、と、第２のＣＣ上のチャネル利用可能性を示す制御信号を第１のＣＣ上で送信することとを行わせるように動作可能である。
【００１９】
[0019]ワイヤレス通信のためのコードを記憶する非一時的コンピュータ可読媒体が説明される。コードは、第１のＣＣと第２のＣＣとを備えるキャリアアグリゲーション構成を示すシグナリングを送信すること、ここにおいて、第１のＣＣはプライマリキャリアを備え、第２のＣＣはセカンダリキャリアを備える、と、第２のＣＣ上のチャネル利用可能性を示す制御信号を第１のＣＣ上で送信することとを行うように実行可能な命令を含み得る。
【００２０】
[0020]本明細書で説明される方法、装置、または非一時的コンピュータ可読媒体のいくつかの例では、制御信号を送信することは、制御信号を受信すると第２のＣＣをモニタするように構成された制御信号を複数のユーザ機器（ＵＥ）にマルチキャストすることを備える。いくつかの場合には、プライマリキャリアは認可周波数帯域幅を利用してよく、セカンダリキャリアは無認可周波数帯域幅を利用してよい。時々、プライマリキャリアは無認可周波数帯域幅を利用してよく、セカンダリキャリアは別の無認可周波数帯域幅を利用する。追加または代替として、いくつかの例は、制御信号を送信した後に第２のＣＣのチャネルが通信のために利用可能であると決定するためのプロセス、機能、手段または命令を含み得る。
【００２１】
[0021]本明細書で説明される方法、装置、または非一時的コンピュータ可読媒体のいくつかの例は、第２のＣＣ上でプリアンブルを送信するためのプロセス、機能、手段または命令をさらに含み得る。追加または代替として、いくつかの例は、第２のＣＣのチャネルが通信のために利用可能であると決定するためのプロセス、機能、手段または命令を含んでよく、制御信号は、第２のＣＣのチャネルが利用可能であると決定した後に送信される。
【００２２】
[0022]本明細書で説明される方法、装置、または非一時的コンピュータ可読媒体のいくつかの例は、第２のＣＣ上でチャネル使用ビーコンを送信するためのプロセス、機能、手段または命令をさらに含み得る。追加または代替として、いくつかの例は、第２のＣＣ上でＰＤＣＣＨまたはＰＤＳＣＨを送信するためのプロセス、機能、手段または命令を含んでよく、ＰＤＣＣＨまたはＰＤＳＣＨは第２のＣＣのリソースをスケジュールする。
【００２３】
[0023]本明細書で説明される方法、装置、または非一時的コンピュータ可読媒体のいくつかの例は、第１のＣＣ上でＰＤＣＣＨメッセージを送信するためのプロセス、機能、手段または命令をさらに含んでよく、ＰＤＣＣＨメッセージは第２のＣＣのリソースをスケジュールする。追加または代替として、いくつかの例では、第１のＣＣの送信時間間隔（ＴＴＩ）の持続時間は第２のＣＣのＴＴＩの持続時間とは異なり、ＰＤＣＣＨメッセージは、第１のＣＣのＴＴＩ内で送信され、第１のＣＣのＴＴＩと時間的に少なくとも部分的に重複する第２のＣＣのＴＴＩを割り当てる。
【００２４】
[0024]本明細書で説明される方法、装置、または非一時的コンピュータ可読媒体のいくつかの例では、制御信号を送信することは、制御信号を受信した後に第１の確定的時間において開始するＰＤＣＣＨメッセージに対する第１のＣＣをモニタすることと、制御信号を受信した後に第２の確定的時間において開始するＰＤＣＣＨメッセージについて第２のＣＣをモニタすることとを行うように構成された制御信号を複数のユーザ機器（ＵＥ）にマルチキャストすることを備え、第１の確定的時間は第１のＣＣのいくつかのＴＴＩを備え、第２の確定的時間は第２のＣＣのいくつかのＴＴＩを備える。追加または代替として、いくつかの例では、第１のＣＣのＴＴＩの持続時間は第２のＣＣのＴＴＩの持続時間とは異なり、ＰＤＣＣＨメッセージは、第１のＣＣのＴＴＩ内で送信され、第１のＣＣのＴＴＩと時間的に少なくとも部分的に重複する第２のＣＣのＴＴＩを割り当てる。
【００２５】
[0025]本明細書で説明される方法、装置、または非一時的コンピュータ可読媒体のいくつかの例では、制御信号を送信することは、制御信号を受信した後に第１の確定的時間において開始するＰＤＣＣＨメッセージについて第１のＣＣをモニタすることと、ＰＤＣＣＨメッセージを受信したことに応答してデータチャネルについて第２のＣＣをモニタすることとを行うように構成された制御信号を複数のユーザ機器（ＵＥ）にマルチキャストすることを備える。追加または代替として、いくつかの例では、制御信号は物理チャネルを備える。
【００２６】
[0026]本明細書で説明される方法、装置、または非一時的コンピュータ可読媒体のいくつかの例では、制御信号は第１のＣＣの帯域幅のサブバンドを備える。追加または代替として、いくつかの例では、物理チャネルは、制御信号を受信すると第２のＣＣをモニタするように構成されたＵＥに対するＰＤＣＣＨフォーマットを備える。
【００２７】
[0027]本明細書で説明される方法、装置、または非一時的コンピュータ可読媒体のいくつかの例では、第１のＣＣはＰＣＣを備え、第２のＣＣはｅＣＣを備える。
【００２８】
[0028]開示される概念および具体例は、本開示の同じ目的を実行するために他の構造を修正または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明のみの目的で与えられるものであり、特許請求の範囲の制限の定義として与えられるものではない。
【図面の簡単な説明】
【００２９】
[0029]本開示は、以下の図面を参照することによって理解され得る。
【図１】本開示の様々な態様による、高速拡張コンポーネントキャリア（ｅＣＣ）アクティベーションをサポートする例示的なワイヤレス通信システムを示す図。
【図２】本開示の様々な態様による、高速ｅＣＣアクティベーションをサポートする例示的なワイヤレス通信システムを示す図。
【図３Ａ】本開示の様々な態様による、高速ｅＣＣアクティベーションをサポートするシステム内でセルフスケジュールされたｅＣＣに対してシグナリングする例を示す図。
【図３Ｂ】本開示の様々な態様による、高速ｅＣＣアクティベーションをサポートするシステム内でセルフスケジュールされたｅＣＣに対してシグナリングする例を示す図。
【図４Ａ】本開示の様々な態様による、高速ｅＣＣアクティベーションをサポートするシステム内でクロスキャリアスケジュールされたｅＣＣに対してシグナリングする例を示す図。
【図４Ｂ】本開示の様々な態様による、高速ｅＣＣアクティベーションをサポートするシステム内でクロスキャリアスケジュールされたｅＣＣに対してシグナリングする例を示す図。
【図５Ａ】本開示の様々な態様による、高速ｅＣＣアクティベーションをサポートするシステム内でクロスキャリアスケジュールされたｅＣＣに対してシグナリングする例を示す図。
【図５Ｂ】本開示の様々な態様による、高速ｅＣＣアクティベーションをサポートするシステム内でクロスキャリアスケジュールされたｅＣＣに対してシグナリングする例を示す図。
【図６】本開示の様々な態様による、高速ｅＣＣアクティベーションをサポートするシステムに対する例示的なプロセスフローを示す図。
【図７】本開示の様々な態様による、高速ｅＣＣアクティベーションをサポートする例示的な１つまたは複数のワイヤレスデバイスを示す図。
【図８】本開示の様々な態様による、高速ｅＣＣアクティベーションをサポートする例示的な１つまたは複数のワイヤレスデバイスを示す図。
【図９】本開示の様々な態様による、高速ｅＣＣアクティベーションをサポートする例示的な１つまたは複数のワイヤレスデバイスを示す図。
【図１０】本開示の様々な態様による、高速ｅＣＣアクティベーションをサポートするユーザ機器（ＵＥ）を含む例示的なシステムを示す図。
【図１１】本開示の様々な態様による、高速ｅＣＣアクティベーションをサポートする例示的な１つまたは複数のワイヤレスデバイスを示す図。
【図１２】本開示の様々な態様による、高速ｅＣＣアクティベーションをサポートする例示的な１つまたは複数のワイヤレスデバイスを示す図。
【図１３】本開示の様々な態様による、高速ｅＣＣアクティベーションをサポートする例示的な１つまたは複数のワイヤレスデバイスを示す図。
【図１４】本開示の様々な態様による、高速ｅＣＣアクティベーションをサポートする基地局を含む例示的なシステムを示す図。
【図１５】本開示の様々な態様による、高速ｅＣＣアクティベーションに対する例示的な方法を示す図。
【図１６】本開示の様々な態様による、高速ｅＣＣアクティベーションに対する例示的な方法を示す図。
【図１７】本開示の様々な態様による、高速ｅＣＣアクティベーションに対する例示的な方法を示す図。
【図１８】本開示の様々な態様による、高速ｅＣＣアクティベーションに対する例示的な方法を示す図。
【図１９】本開示の様々な態様による、高速ｅＣＣアクティベーションに対する例示的な方法を示す図。
【図２０】本開示の様々な態様による、高速ｅＣＣアクティベーションに対する例示的な方法を示す図。
【発明を実施するための形態】
【００３０】
[0040]キャリアアグリゲーション（ＣＡ）構成の１つのコンポーネントキャリア（ＣＣ）は、高速キャリアアグリゲーションを受け入れるために共有周波数リソース上で動作する別のＣＣのチャネル利用可能性についての情報を提供し得る。高速拡張ＣＣ（ｅＣＣ）アクティベーションの例を含む本開示の態様は、ワイヤレス通信システムのコンテキストにおいて説明される。いくつかの例では、プライマリＣＣまたはＰＣｅｌｌは、ユーザ機器（ＵＥ）に拡張ＣＣをアクティベートするようにシグナリングしてよく、このアクティベーションは、クリアチャネルアセスメント（ＣＣＡ）の前または後（たとえば、ＣＣＡがクリアされる前またはクリアされた後）に発生し得る。高速ｅＣＣアクティベーションは、セルフスケジューリングシナリオとクロスキャリアスケジューリングシナリオの両方において利用され得る。たとえば、ＰＣｅｌｌは、セルフスケジュールされたｅＣＣに対するｅＣＣアクティベーションをシグナリングし得る。または、ＰＣｅｌｌは、ｅＣＣアクティベーションのシグナリングとｅＣＣリソースのスケジューリングの両方を行い得る。両シナリオにおいて、ｅＣＣアクティベーションはＣＣＡの前または後であってよいので、説明される技法は、他の場合、たとえばｅＣＣがスタンドアロンモードにおいて動作する場合に発生するよりも高速の、またはより効率的なｅＣＣのアクティベーションを提供し得る。加えて、説明される例の一部は、高速ｅＣＣアクティベーションに対する物理チャネルを示す。本開示のこれらのおよび他の態様は、高速ｅＣＣアクティベーションに関連する様々なシステム図、装置図、およびフローチャートによって図示され、それらを参照しながら説明される。
【００３１】
[0041]図１は、本開示の様々な態様による、ｅＣＣを有するＤＲＸ手順をサポートするワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）／ＬＴＥアドバンスト（ＬＴＥ−Ａ）ネットワークであり得る。
【００３２】
[0042]基地局１０５は、１つまたは複数の基地局アンテナを介してＵＥ１１５とワイヤレスに通信することができる。基地局１０５の各々は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。基地局１０５は、ｅＣＣを有するＤＲＸ手順をサポートするために、互いにサポートし、互いに通信することができる。たとえば、基地局１０５は、バックホールリンク１３２（たとえば、Ｓ１など）を通じてコアネットワーク１３０とインターフェースし得る。基地局１０５はまた、バックホールリンク１３４（たとえば、Ｘ１など）を介して互いに、直接的または（たとえば、コアネットワーク１３０を介して）間接的に通信し得る。基地局１０５は、ＵＥ１１５との通信のための無線構成およびスケジューリングを実行し得るか、または基地局コントローラ（図示せず）の制御下で動作し得る。様々な例では、基地局１０５は、マクロセル、スモールセル、ホットスポットなどであり得る。また、いくつかの例では、基地局１０５はｅノードＢ（ｅＮＢ）１０５と呼ばれることもある。
【００３３】
[0043]ＵＥ１１５は、ワイヤレス通信システム１００全体にわたって分散され得、各ＵＥ１１５は固定またはモバイルであり得る。また、ＵＥ１１５は、移動局、加入者局、リモートユニット、ワイヤレスデバイス、アクセス端末、ハンドセット、ユーザエージェント、クライアント、またはいくつかの他の適切な用語として呼ばれることがある。また、ＵＥ１１５は、携帯電話、ワイヤレスモデム、ハンドヘルドデバイス、パーソナルコンピュータ、タブレット、パーソナル電子デバイス、マシン型通信（ＭＴＣ）デバイスなどであり得る。ＵＥ１１５は基地局１０５と通信し、高速ｅＣＣアクティベーションをサポートすることができる。
【００３４】
[0044]ＵＥは、ＣＡ構成内の複数のキャリアを用いて構成されてよく、通信リンク１２５は、そのようなマルチキャリアＣＡ構成を表してよい。キャリアは、ＣＣ、レイヤ、チャネルなどと呼ばれることもある。「コンポーネントキャリア」という用語は、ＣＡ動作においてＵＥによって利用される複数のキャリアの各々を指し、システム帯域幅の他の部分とは別個である場合がある。たとえば、ＣＣは、独立して、または他のＣＣと組み合わせて利用されることが可能である、比較的狭い帯域幅のキャリアであり得る。各ＣＣは、ＬＴＥ規格のリリース８またはリリース９に基づく分離キャリアと同じ能力を与え得る。複数のＣＣは、より大きい帯域幅と、たとえば、より高いデータレートとをいくつかのＵＥ１１５に提供するために、アグリゲートされるか、または同時に利用される場合がある。したがって、個々のＣＣは、従来のＵＥ１１５（たとえば、ＬＴＥリリース８またはリリース９を実装するＵＥ１１５）との後方互換性があり得るが、他のＵＥ１１５（たとえば、リリース８／９後のＬＴＥバージョンを実装するＵＥ１１５）は、マルチキャリアモードにおいて複数のＣＣを用いて構成される場合がある。ＤＬのために使用されるキャリアはＤＬ  ＣＣと呼ばれることがあり、ＵＬのために使用されるキャリアはＵＬ  ＣＣと呼ばれることがある。ＵＥ１１５は、ＣＡのために、複数のＤＬ  ＣＣと１つまたは複数のＵＬ  ＣＣとで構成され得る。各キャリアは、制御情報（たとえば、基準信号、制御チャネルなど）、オーバーヘッド情報、データなどを送信するために使用される場合がある。
【００３５】
[0045]ＵＥ１１５は、複数のキャリアを利用して単一の基地局１０５と通信することができ、様々なキャリア上で同時に複数の基地局と通信することもできる。基地局１０５の各セルは、ＵＬ  ＣＣとＤＬ  ＣＣとを含み得る。基地局１０５に対する各サービングセルのカバレージエリア１１０は、異なる場合がある（たとえば、異なる周波数帯域上のＣＣは、異なる経路損失を経験する場合がある）。いくつかの例では、あるキャリアは、プライマリセル（ＰＣｅｌｌ）によってサービスされ得る、ＵＥ１１５のためのプライマリキャリアまたはプライマリコンポーネントキャリア（ＰＣＣ）として指定される。ＰＣｅｌｌは、ＵＥごとに上位レイヤ（たとえば、無線リソース制御（ＲＲＣ）など）によって半静的に構成される場合がある。いくつかの場合には、物理アップリンク制御チャネル（ＰＵＣＣＨ）上で送信される、あるアップリンク制御情報（ＵＣＩ）、たとえば、肯定応答（ＡＣＫ）／否定応答（ＮＡＣＫ）、チャネル品質インジケータ（ＣＱＩ）、およびスケジューリング情報は、ＰＣｅｌｌによってのみ搬送され得る。追加のキャリアは、セカンダリセル（ＳＣｅｌｌ）によってサービスされ得る、セカンダリキャリアまたはセカンダリコンポーネントキャリア（ＳＣＣ）として指定される場合がある。ＳＣｅｌｌは、同様に、ＵＥごとに半静的に構成される場合がある。いくつかの場合には、ＳＣｅｌｌは、ＰＣｅｌｌと同じ制御情報を含まないかまたはそれを送信するように構成されないことがある。
【００３６】
[0046]また、ワイヤレス通信システム１００は、１つまたは複数のｅＣＣを利用し得る。たとえば、ＳＣｅｌｌはｅＣＣであってよい。ｅＣＣは、フレキシブル帯域幅、異なる送信時間間隔（ＴＴＩ）、および変更された制御チャネル構成を含む、１つまたは複数の機能によって特徴づけられ得る。いくつかの場合には、ｅＣＣは、ＣＡ構成またはデュアル接続性構成（たとえば、複数のサービングセルが次善のバックホールリンクを有するとき）に関連付けられ得る。フレキシブル帯域幅によって特徴づけられるｅＣＣは、全帯域幅をモニタすることが可能でないか、または（たとえば、電力を節約するために）限られた帯域幅を使用することを選好するＵＥ１１５によって利用され得る１つまたは複数のセグメントを含み得る。
【００３７】
[0047]ｅＣＣはまた、（たとえば、２つ以上の事業者が、スペクトルを使用することを認可された場合）無認可スペクトルまたは共有スペクトルにおいて使用するために構成され得る。概して、いくつかの管轄における無認可スペクトルは、６００メガヘルツ（ＭＨｚ）〜６ギガヘルツ（ＧＨｚ）にわたる場合がある。本明細書で使用する「無認可スペクトル」または「共有スペクトル」という用語は、したがって、工業、科学、および医療（ＩＳＭ）無線帯域を、それらの帯域の周波数にかかわらず、指す場合がある。いくつかの例では、無認可スペクトルは、５ＧＨｚ帯域または５Ｇ帯域と呼ばれる場合もある、Ｕ−ＮＩＩ無線帯域である。対照的に、「認可スペクトル」または「セルラースペクトル」という用語は、本明細書において、所管官庁または権限を有する当局からの管理ライセンスを受けたワイヤレスネットワーク事業者によって利用されるワイヤレススペクトルを指すために使用される場合がある。様々なＵＥ１１５および基地局１０５は、無認可スペクトルまたは共有スペクトル上のｅＣＣリソースに対して他のシステムのデバイスと競合する場合がある。たとえば、高速ｅＣＣアクティベーション機構なしに、ＵＥ１１５は、基地局１０５がチャネルを確保したかどうかを決定するために無認可スペクトルのチャネルをリッスンしなければならないことがある。この無差別リスニングは、チャネルは利用可能にならないので、ＵＥ１１５に、電力を消耗させ、ハードウェア（たとえば、アンテナ）を不必要に充当させる場合がある。したがって、以下でさらに説明されるように、高速ｅＣＣアクティベーションは、ｅＣＣがＵＥ１１５によって使用される可能性があるとき、ｅＣＣをモニタすることによってＵＥ１１５のリソースを保存するのを助けることができる。
【００３８】
[0048]いくつかの場合には、ｅＣＣは、他のＣＣとは異なるＴＴＩ長さを利用してよく、ｅＣＣは、他のＣＣのＴＴＩと比較して低減されたまたは可変のシンボル持続時間の使用を含み得る。いくつかの場合には、シンボル持続時間は同じままであるが、各シンボルは別個のＴＴＩを表してもよい。いくつかの例では、ｅＣＣは、異なるＴＴＩ長と関連付けられた複数の階層レイヤを含み得る。たとえば、ある階層レイヤにおけるＴＴＩは均一な１ｍｓサブフレームに対応し得るが、第２のレイヤでは、可変長ＴＴＩは短い持続時間シンボル期間のバーストに対応し得る。いくつかの場合には、より短いシンボル持続時間は、増加されたサブキャリア間隔にも関連し得る。低減されたＴＴＩ長さと併せて、ｅＣＣは、動的ＴＤＤ動作を利用し得る（すなわち、ｅＣＣは、動的条件に従って短いバーストに対してＤＬ動作からＵＬ動作に切り替え得る）。
【００３９】
[0049]フレキシブル帯域幅および可変ＴＴＩが、変更された制御チャネル構成に関連する場合がある、（たとえば、ｅＣＣは、ＤＬ制御情報のための拡張物理ダウンリンク制御チャネル（ｅＰＤＣＣＨ）を利用する場合がある）。たとえば、ｅＣＣの１つまたは複数の制御チャネルは、フレキシブル帯域幅の使用を受け入れるために、周波数分割多重（ＦＤＭ）スケジューリングを利用し得る。他の制御チャネル変更は、（たとえば、ｅＭＢＭＳスケジューリングのための、または可変長ＵＬおよびＤＬバーストの長さを示すための）追加の制御チャネルの使用、または異なる間隔で送信される制御チャネルの使用を含む。また、ｅＣＣは、変更または追加のハイブリッド自動再送要求（ＨＡＲＱ）関連の制御情報を含み得る。
【００４０】
[0050]システム１００は、ＵＥ１１５がｅＣＣ上のサービング基地局の存在を検出するために基準点（たとえば、指定されたダウンリンク（ＤＬ）シンボル）を検査し得る、スタンドアロンモードにおいてｅＣＣを利用し得る。すなわち、いくつかの場合には、ＵＥ１１５は、上述のようにチャネル利用可能性を決定するためにｅＣＣをモニタしなければならない場合がある。代替として、システム１００は、高速ｅＣＣアクティベーションをサポートするために非スタンドアロンモードにおいてｅＣＣを利用し得る。そのようなシナリオでは、基地局１０５は、ＰＣｅｌｌを介して、ｅＣＣ上のチャネル利用可能性についての情報をＵＥに提供し得る。いくつかの場合には、情報はＣＣＡクリアランスと関連付けられる場合があり、たとえば、基地局１０５は、ＣＣＡをクリアした後、または基地局１０５がＣＣＡをクリアする可能性がある場合、チャネル利用可能性インジケーションを送る場合がある。下記のように、ｅＣＣのリソースは、ＰＣｅｌｌからスケジュールされてもされなくてもよく、ＰＣｅｌｌは、いずれの場合にも、高速ｅＣＣアクティベーションをサポートするためにチャネル利用可能性インジケーションを提供してよい。この高速ｅＣＣアクティベーションは、ＵＥ１１５がｅＣＣの連続的または非戦略的モニタリングを回避することを可能にし得る。
【００４１】
[0051]図２は、本開示の様々な態様による、高速ｅＣＣをサポートするワイヤレス通信システム２００の一例を示す。システム２００は、非スタンドアロンモードにおけるｅＣＣを利用し得る。たとえば、認可周波数帯域幅を利用するＰＣｅｌｌは、無認可周波数帯域幅を利用するｅＣＣのチャネル利用可能性についての情報を提供し得る。本開示の実施形態は認可周波数帯域幅を利用するＰＣｅｌｌと無認可周波数帯域幅を利用するｅＣＣ（またはＳＣｅｌｌ）を論じるが、ＰＣｅｌｌおよびｅＣＣは、認可または無認可のいずれかの周波数帯域幅を利用し得ることを、当業者には理解されたい。たとえば、ＰＣｅｌｌとｅＣＣ（またはＳＣｅｌｌ）の両方が、無認可周波数帯域幅を利用し得る。ワイヤレス通信システム２００は、図１のシステム１００の一例であってよく、ワイヤレス通信システム２００は、それぞれ、図１を参照しながら本明細書で説明されたＵＥ１１５および基地局１０５の一例であり得るＵＥ１１５−ａおよび基地局１０５−ａを含んでよい。
【００４２】
[0052]ＵＥ１１５−ａは、基地局１０５−ａのカバレージエリア１１０−ａ内にあってよい。ＵＥ１１５−ａは、ＰＣｅｌｌ  ＴＴＩ２１０を有するＰＣｅｌｌ２０５と、ｅＣＣ  ＳＣｅｌｌ  ＴＴＩ２２０を有するｅＣＣ  ＳＣｅｌｌ２１５とを含むＣＡ構成を有し得る。基地局１０５−ａは、ＰＣｅｌｌ２０５およびｅＣＣ  ＳＣｅｌｌ２１５などのＣＣを介してデータおよび制御情報をＵＥ１０５−ａと交換し得る。いくつかの場合には、ｅＣＣ  ＳＣｅｌｌ  ＴＴＩ２２０は、ＰＣｅｌｌ  ＴＴＩ２１０と関連付けられたものより短い持続時間であり得る。ＵＥ１１５−ａは、ダウンリンクｅＣＣ  ＳＣｅｌｌ  ＴＴＩ２２０およびダウンリンクＰＣｅｌｌ  ＴＴＩ２１０内で基地局１０５−ａから情報を受信し得る。ＵＥ１１５−ａは、アップリンクｅＣＣ  ＳＣｅｌｌ  ＴＴＩ２２０およびアップリンクＰＣｅｌｌ  ＴＴＩ２１０内で基地局１０５−ａから情報を送り得る。アップリンクｅＣＣ  ＳＣｅｌｌ  ＴＴＩ２２０およびアップリンクＰＣｅｌｌ  ＴＴＩ２１０は、非同期的にスケジュールされ、送信され得る（たとえば、ＴＴＩ境界は整列されなくてもよい）。隣接するｅＣＣ  ＳＣｅｌｌ２１０またはＰＣｅｌｌ２０５のグループ、ＴＴＩはバーストと呼ばれる場合がある。
【００４３】
[0053]階層化プロトコルスタックに従って動作し得るシステム２００。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためにＨＡＲＱを使用し得る。制御プレーンでは、無線リソース制御（ＲＲＣ）プロトコルレイヤが、ＵＥ１１５−ａと基地局１０５−ａとの間のＲＲＣ接続の確立、構成および維持を提供し得る。ＵＥ１１５−ａは、ＲＲＣシグナリングを介してＰＣｅｌｌ２０５およびｅＣＣ２１５を用いて構成され得る。
【００４４】
[0054]データは、論理チャネルと、トランスポートチャネルと、物理レイヤチャネルとに分割され得る。チャネルはまた、制御チャネルとトラフィックチャネルとに分類され得る。ＤＬ物理チャネルは、ブロードキャスト情報のための物理ブロードキャストチャネル（ＰＢＣＨ）と、制御フォーマット情報のための物理制御フォーマットインジケータチャネル（ＰＣＦＩＣＨ）と、制御およびスケジューリング情報のための物理ダウンリンク制御チャネル（ＰＤＣＣＨ）と、ＨＡＲＱステータスメッセージのための物理ＨＡＲＱインジケータチャネル（ＰＨＩＣＨ）と、ユーザデータのための物理ダウンリンク共有チャネル（ＰＤＳＣＨ）と、マルチキャストデータのための物理マルチキャストチャネル（ＰＭＣＨ）とを含み得る。ＵＬ物理チャネルは、アクセスメッセージのための物理ランダムアクセスチャネル（ＰＲＡＣＨ）、制御データのための物理アップリンク制御チャネル（ＰＵＣＣＨ）、およびユーザデータのための物理アップリンク共有チャネル（ＰＵＳＣＨ）を含み得る。
【００４５】
[0055]ＵＥ１１５−ａは、ｅＣＣ  ＳＣｅｌｌ２１５上のチャネル利用可能性を示す制御信号をＰＣｅｌｌ２０５上で受信し得る。いくつかの場合には、インジケーションは、上述のＤＬ物理チャネルに加えて使用され得る物理チャネルであり得る。たとえば、基地局１０５−ａは、高速ｅＣＣアクティベーションに対していくつかのＵＥ１１５にブロードキャストまたはグループキャストされ得る共通の物理チャネルを利用し得る。したがって、基地局１０５−ａは、ＰＣｅｌｌ２０５の物理チャネルを使用して、ｅＣＣ  ＳＣｅｌｌ２１５のチャネル利用可能性を、ＵＥ１１５−ａを含むいくつかのＵＥ１１５に示し得る。ブロードキャストチャネル利用可能性インジケーションの場合、チャネル利用可能性インジケーションは、ＰＣｅｌｌ  ＴＴＩ２１０の持続時間にわたるＦＤＭであり得る。たとえば、チャネル利用可能性インジケーションは、ＰＣｅｌｌ  ＴＴＩ２１０の５ＭＨｚブロック内のＦＤＭであってよく、したがって、ＰＣｅｌｌ２０５の全帯域幅（たとえば、ＰＣｅｌｌ２０５は２０ＭＨｚ帯域幅を有し得る）にわたって分配されることはない。グループキャストチャネル利用可能性インジケーションの場合、ウルトラ低レイテンシＰＤＣＣＨ（ｕＰＤＣＣＨ）フォーマットが利用され得る。このｕＰＤＣＣＨフォーマットは、ｅＣＣ  ＳＣｅｌｌ２１５などの単一のｅＣＣまたは複数のｅＣＣに対するチャネル利用可能性を示し得る。いくつかの場合には、チャネル利用可能性インジケーションは、高速ｅＣＣアクティベーションまたは高速アクティベーションと呼ばれる場合があり、シンボルごとまたはサブフレームごとに示され得る。
【００４６】
[0056]上述のように、ｅＣＣ  ＳＣｅｌｌ２１５は、共有または無認可周波数スペクトル（たとえば、帯域幅）を利用し得る。基地局１０５−ａもしくはＵＥ１１５−ａまたは両方は、チャネルが利用可能であるかどうかを決定するためにｅＣＣ  ＳＣｅｌｌ２１５のＣＣＡを実行し得る。ＣＣＡは、任意の他のアクティブ送信があるかどうかを決定するためにエネルギー検出手順を含み得る。たとえば、デバイスは、受信信号強度における変化が、チャネルが占有されていることを示すものと推論し得る。具体的には、一定の帯域幅内に集中され、所定の雑音フロアを超える信号電力は、１つのチャネルを使用する別のワイヤレス送信機を示す場合がある。また、ＣＣＡは、そのチャネルの使用を示す特定のシーケンスの検出を含む場合がある。たとえば、別のデバイスは、データシーケンスを送信する前に特定のプリアンブルを送信する場合がある。以下で説明されるように、基地局１０５−ａは、ＣＣＡの前または後（たとえば、ＣＣＡがクリアされる前またはクリアされた後）にＰＣｅｌｌ２０５上のチャネル利用可能性インジケーションをＵＥ１１５−ａに送り得る。
【００４７】
[0057]図３Ａおよび図３Ｂは、本開示の様々な態様による、高速ｅＣＣアクティベーションをサポートする、図１および図２のシステム１００および２００を含むシステム内でセルフスケジュールされたｅＣＣに対してシグナリングする例を示す。図３Ａの例では、ＣＡ構成３０１は、図２のＰＣｅｌｌ２０５の一例であり得るＰＣｅｌｌ３０５−ａを含み、ＰＣｅｌｌ３０５−ａは、図２のｅＣＣ  ＳＣｅｌｌ２１５の一例であり得るｅＣＣ  ＳＣｅｌｌ３１５−ａのチャネル利用可能性を示すために使用され得る。ｅＣＣ  ＳＣｅｌｌ３１５−ａは、セルフスケジュールされ得る（たとえば、クロスキャリアスケジューリングは利用されない）。ＰＣｅｌｌ３０５−ａは、ＬＴＥヌメロロジーに基づき得るＰＣｅｌｌ  ＴＴＩ３１０−ａを有してよく、たとえば、ＰＣｅｌｌ  ＴＴＩ３１０−ａの各々は、１ｍｓであってよく、または異なる、より低いレイテンシヌメロロジーを有してもよい。ＰＣｅｌｌ  ＴＴＩ３１０−ａはＵＬＬ  ＴＴＩであってよく、ＵＬＬ制御またはＵＬＬデータと呼ばれる制御およびデータチャネルを搬送し得る。たとえば、ＰＣｅｌｌ  ＴＴＩ３１０−ａの各々は、１ｍｓ未満の持続時間を有し得る。ｅＣＣ  ＳＣｅｌｌ  ＴＴＩ３２０−ａは、それぞれ、ＰＣｅｌｌ  ＴＴＩ３１０−ａの持続時間より短い持続時間を有し得る。たとえば、３つのｅＣＣ  ＳＣｅｌｌ  ＴＴＩ３２０−ａは、１つのＰＣｅｌｌ  ＴＴＩに等しい持続時間を有し得る。基地局１０５は、ＰＣｅｌｌ  ＴＴＩのうちの１つの間に高速チャネルアクティベーション３２２−ａを提供し得る。高速アクティベーション３２２−ａは、ＵＥ１１５がｅＣＣ  ＳＣｅｌｌ３１５−ａをモニタすべきことをＵＥ１１５に示し得る。高速アクティベーション３２２−ａはＰＣｅｌｌ  ＴＴＩ内のＦＤＭであってよく、それによって高速アクティベーション３２２−ａはＰＣｅｌｌ  ＴＴＩ３２３−ａの持続時間の間であるが、ＰＣｅｌｌ３０５−ａの全帯域幅を占有することはない。
【００４８】
[0058]ＵＥ１１５は、ＰＣｅｌｌ  ＴＴＩ  ｋ  ３２３−ａ内で高速アクティベーション３２２−ａを受信してよく、ｅＣＣ  ＳＣｅｌｌ  ＴＴＩ  ｎ＋４  ３２５−ａ内で制御およびデータ送信のためにｅＣＣ  ＳＣｅｌｌ３１５−ａをモニタすることを開始してよい。図３Ａの例では、ＣＣＡはｅＣＣ  ＳＣｅｌｌ  ＴＴＩ  ｎ＋５  ３３０−ａ内でクリアされてよく、ＵＥ１１５はｅＣＣ  ＳＣｅｌｌ  ＴＴＩ  ｎ＋６  ３３５−ａ内で基地局１０５からプリアンブル送信を受信してよい。次いで、ＵＥ１１５は、ｅＣＣ  ＳＣｅｌｌ  ＴＴＩ  ｎ＋７  ３４０−ａ内で基地局１０５からｅＣＣ  ＳＣｅｌｌ上の制御またはデータ送信（たとえば、ＰＤＣＣＨまたはＰＤＳＣＨ）を受信してよい。
【００４９】
[0059]図３Ｂの例では、ＣＡ構成３０２は、図２のＰＣｅｌｌ２０５の一例であり得るＰＣｅｌｌ３０５−ｂを含み、ＰＣｅｌｌ３０５−ｂは、図２のｅＣＣ  ＳＣｅｌｌ２１５の一例であり得るｅＣＣ  ＳＣｅｌｌ３１５−ｂのチャネル利用可能性を示すために使用され得る。ｅＣＣ  ＳＣｅｌｌ３１５−ｂは、セルフスケジュールされ得る（たとえば、クロスキャリアスケジューリングは利用されない）。ＰＣｅｌｌ３０５−ｂは、ＬＴＥヌメロロジーに基づき得るか、または異なる、より低いレイテンシヌメロロジーを有し得る、ＰＣｅｌｌ  ＴＴＩ３１０−ｂを有し得る。ＰＣｅｌｌ  ＴＴＩ３１０−ｂはＵＬＬ  ＴＴＩであってよく、ＵＬＬ制御またはＵＬＬデータと呼ばれる制御およびデータチャネルを搬送し得る。たとえば、ＰＣｅｌｌ  ＴＴＩ３１０−ｂの各々は、１ｍｓ未満の持続時間を有し得る。ｅＣＣ  ＳＣｅｌｌ  ＴＴＩ３２０−ｂは、それぞれ、ＰＣｅｌｌ  ＴＴＩ３１０−ｂの持続時間より短い持続時間を有し得る。たとえば、３つのｅＣＣ  ＳＣｅｌｌ  ＴＴＩ３２０−ｂは、１つのＰＣｅｌｌ  ＴＴＩに等しい持続時間を有し得る。基地局１０５は、ＰＣｅｌｌ  ＴＴＩのうちの１つ、ｋ＋１  ３２３−ｂの間に高速チャネルアクティベーション３２２−ｂを提供し得る。高速アクティベーション３２２−ｂは、ＵＥ１１５がｅＣＣ  ＳＣｅｌｌ３１５−ｂをモニタすべきことをＵＥ１１５に示し得る。高速アクティベーション３２２−ｂはＣｅｌｌ  ＴＴＩ内のＦＤＭであってよく、それによって高速アクティベーション３２２−ｂはＰＣｅｌｌ  ＴＴＩ３２３−ｂの持続時間の間であり、ＰＣｅｌｌ３０５−ｂの全帯域幅を占有することはない。
【００５０】
[0060]ＵＥ１１５は、ＰＣｅｌｌ  ＴＴＩ  ｋ＋１  ３２３−ｂ内で高速アクティベーション３２２−ｂを受信してよく、ｅＣＣ  ＳＣｅｌｌ  ＴＴＩ  ｎ＋７  ３２５−ｂ内で制御およびデータ送信のためにｅＣＣ  ＳＣｅｌｌ３１５−ａをモニタすることを開始してよい。図３Ａの例では、ＣＣＡはｅＣＣ  ＳＣｅｌｌ  ＴＴＩ  ｎ  ３３０−ｂ内でクリアされてよく、基地局１０５はｅＣＣ  ＳＣｅｌｌ  ＴＴＩ  ｎ＋１  ３３５−ｂ内で開始するチャネル使用ビーコンまたはプリアンブルを送信中であってよく、したがってＵＥ１１５は、ｅＣＣ  ＳＣｅｌｌ３１５−ｂのモニタリング始動時にｅＣＣ  ＳＣｅｌｌ  ＴＴＩ  ｎ＋７  ３２５−ｂ内で基地局１０５からプリアンブル送信を受信してよい。次いで、ＵＥ１１５は、ｅＣＣ  ＳＣｅｌｌ  ＴＴＩ  ｎ＋８  ３４０−ｂ内で基地局１０５からｅＣＣ  ＳＣｅｌｌ上の制御またはデータ送信（たとえば、ＰＤＣＣＨまたはＰＤＳＣＨ）を受信してよい。
【００５１】
[0061]いくつかの場合には、ＵＥ１１５は、高速チャネルアクティベーション３２２を受信すると、モニタリングタイマーと呼ばれることがあるタイマーを始動し得る。いくつかの場合には、ＵＥ１１５が、タイマーが満了する前にｅＣＣ  ＳＣｅｌｌ３１５上で基地局１０５からプリアンブルを検出しない場合、ＵＥ１１５は、ｅＣＣ  ＳＣｅｌｌ３１５をモニタすることを終了し得る。しかし、ＵＥ１１５が、タイマーの満了前に基地局１０５からプリアンブルを受信した場合、ＵＥ１１５は、タイマーを再始動してモニタリングを継続してよい。この時限モニタリングは、ＵＥ１１５が基地局１０５によってクリアされなかったチャネルに対するリソースを不必要に消耗することからＵＥ１１５を助けることができる。
【００５２】
[0062]図４Ａおよび図４Ｂは、本開示の様々な態様による、高速ｅＣＣアクティベーションをサポートする、図１および図２のシステム１００および２００を含むシステム内でクロスキャリアスケジュールされたｅＣＣに対してシグナリングする例を示す。図４Ａの例では、ＣＡ構成４０１は、図２のＰＣｅｌｌ２０５の一例であり得るＰＣｅｌｌ４０５−ａを含み、ＰＣｅｌｌ４０５−ａは、図２のｅＣＣ  ＳＣｅｌｌ２１５の一例であり得るｅＣＣ  ＳＣｅｌｌ４１５−ａのチャネル利用可能性を示すために使用され得る。図４Ａおよび図４Ｂの例では、ＵＥ１１５は、ＣＣＡがクリアされる前にＰＣｅｌｌ４０５−ａから高速ｅＣＣアクティベーション（たとえば、チャネル利用可能性インジケーション）を受信し得る。したがって、高速ｅＣＣアクティベーションとｅＣＣスケジューリングの両方は、ＰＣｅｌｌ４０５−ａによって示されるかまたはＰＣｅｌｌ４０５−ａ上で送信されてよいが、ｅＣＣ高速アクティベーションは発生し、次いでＣＣＡが、次いでｅＣＣリソースの許可が発生する。
【００５３】
[0063]ＰＣｅｌｌ４０５−ａは、ＬＴＥヌメロロジーに基づき得るＰＣｅｌｌ  ＴＴＩ４１０−ａを有してよく、たとえば、ＰＣｅｌｌ  ＴＴＩ４１０−ａの各々は、１ｍｓであってよく、または異なる、より低いレイテンシヌメロロジーを有してもよい。ＰＣｅｌｌ  ＴＴＩ４１０−ａはＵＬＬ  ＴＴＩであってよく、ＵＬＬ制御またはＵＬＬデータと呼ばれる制御およびデータチャネルを搬送し得る。たとえば、ＰＣｅｌｌ  ＴＴＩ４１０−ａの各々は、１ｍｓ未満の持続時間を有し得る。ｅＣＣ  ＳＣｅｌｌ  ＴＴＩ４２０−ａは、それぞれ、ＰＣｅｌｌ  ＴＴＩ４１０−ａの持続時間より短い持続時間を有し得る。たとえば、３つのｅＣＣ  ＳＣｅｌｌ  ＴＴＩ４２０−ａは、１つのＰＣｅｌｌ  ＴＴＩに等しい持続時間を有し得る。基地局１０５は、ＰＣｅｌｌ  ＴＴＩのうちの１つ、ｋ  ４２３−ａの間に高速チャネルアクティベーション４２２−ａを提供し得る。高速アクティベーション４２２−ａは、ＵＥ１１５がｅＣＣ  ＳＣｅｌｌ４１５−ａをモニタすべきことをＵＥ１１５に示し得る。いくつかの場合には、高速アクティベーション４２２−ａは、ＵＥ１１５が、高速アクティベーション４２２−ａを受信した後のある時間にｅＣＣ  ＳＣｅｌｌ４１５−ａをモニタすべきであること、この時間はシグナリングされてよく、または確定的であってもよい。高速アクティベーション４２２−ａはＰＣｅｌｌ  ＴＴＩ内のＦＤＭであってよく、それによって高速アクティベーション４２２−ａはＰＣｅｌｌ  ＴＴＩ  ｋ  ４２３−ａの持続時間の間であるが、ＰＣｅｌｌ４０５−ａの全帯域幅を占有することはない。また、基地局１０５は、ｅＣＣ  ＳＣｅｌｌ４１５−ａのリソースをスケジュールし得るＰＣｅｌｌ  ＴＴＩ  ｋ＋２  ４２５−ａ内のＰＤＣＣＨメッセージ（たとえば、ｕＰＤＣＣＨ）４２４−ａを送信し得る。
【００５４】
[0064]ＵＥ１１５は、ＰＣｅｌｌ  ＴＴＩ  ｋ  ４２３−ａ内で高速アクティベーション４２２−ａを受信してよく、ｅＣＣ  ＳＣｅｌｌ  ＴＴＩ  ｎ＋４  ４２６−ａ内でＣＣＡのためにｅＣＣ  ＳＣｅｌｌ４１５−ａをモニタすることを開始してよい。高速アクティベーション４２２−ａを受信することとｅＣＣ  ＳＣｅｌｌ４１５−ａをモニタすることとの間の時間は、４つのｅＣＣ  ＳＣｅｌｌ  ＴＴＩに等しい確定的な時間であり得る。図４Ａの例では、ＣＣＡはｅＣＣ  ＳＣｅｌｌ  ＴＴＩ  ｎ＋５  ４２７−ａ内でクリアされてよい。次いで、ＵＥ１１５は、ＰＤＣＣＨメッセージによってスケジュールされたように、基地局１０５からｅＣＣ  ＳＣｅｌｌ４１５−ａ上の制御またはデータ送信（たとえば、ＰＤＳＣＨ）を受信してよい。図示のように、ＰＣｅｌｌ４０５−ａは、ｅＣＣ  ＳＣｅｌｌ４１５−ａのリソースに、許可を搬送するＰＣｅｌｌ  ＴＴＩ  ｋ＋２  ４２５−ａと重複するｅＣＣ  ＳＣｅｌｌ  ＴＴＩを割り当て得る。言い換えれば、ｅＣＣ高速アクティベーションがＣＣＡがクリアされる前に示されるとき、クロスキャリア許可は、重複するｅＣＣ  ＳＣｅｌｌ  ＴＴＩに対するリソースを割り当て得る。そのような場合、ＵＥ１１５は、高速ｅＣＣアクティベーションを受信した後のある時間に許可のためにｕＰＤＣＣＨをモニタすることを開始してよく、これは、確定的時間（たとえば、２つのＰＣｅｌｌ  ＴＴＩ）であってよい。
【００５５】
[0065]いくつかの例では、ＰＣｅｌｌ上のクロスキャリア許可は、今後のｅＣＣ  ＳＣｅｌｌ  ＴＴＩに対するリソースを割り当て得る。図４Ｂの例では、ＣＡ構成４０２は、図２のＰＣｅｌｌ２０５の一例であり得るＰＣｅｌｌ４０５−ｂを含み、ＰＣｅｌｌ４０５−ｂは、図２のｅＣＣ  ＳＣｅｌｌ２１５の一例であり得るｅＣＣ  ＳＣｅｌｌ４１５−ｂのチャネル利用可能性を示すために使用され得る。ＰＣｅｌｌ４０５−ｂは、ＬＴＥヌメロロジーに基づき得るか、または異なる、より低いレイテンシヌメロロジーを有し得る、ＰＣｅｌｌ  ＴＴＩ４１０−ｂを有し得る。ＰＣｅｌｌ  ＴＴＩ４１０−ｂはＵＬＬ  ＴＴＩであってよく、ＵＬＬ制御またはＵＬＬデータと呼ばれる制御およびデータチャネルを搬送し得る。たとえば、ＰＣｅｌｌ  ＴＴＩ４１０−ｂの各々は、１ｍｓ未満の持続時間を有し得る。ｅＣＣ  ＳＣｅｌｌ  ＴＴＩ４２０−ｂは、それぞれ、ＰＣｅｌｌ  ＴＴＩ４１０−ｂの持続時間より短い持続時間を有し得る。たとえば、３つのｅＣＣ  ＳＣｅｌｌ  ＴＴＩ４２０−ｂは、１つのＰＣｅｌｌ  ＴＴＩに等しい持続時間を有し得る。基地局１０５は、ＰＣｅｌｌ  ＴＴＩのうちの１つ、ｋ  ４２３−ａの間に高速チャネルアクティベーション４２２−ｂを提供し得る。高速アクティベーション４２２−ｂは、ＵＥ１１５がｅＣＣ  ＳＣｅｌｌ４１５−ｂをモニタすべきであることをＵＥ１１５に示し得る。いくつかの場合には、高速アクティベーション４２２−ｂは、ＵＥ１１５が、高速アクティベーション４２２−ｂを受信した後のある時間にｅＣＣ  ＳＣｅｌｌ４１５−ｂをモニタすべきであることを示す。高速アクティベーション４２２−ｂはＰＣｅｌｌ  ＴＴＩ内のＦＤＭであってよく、それによって高速アクティベーション４２２−ｂは、ＰＣｅｌｌ  ＴＴＩ  ｋ  ４２３−ｂの持続時間の間の間である。また、基地局１０５は、ｅＣＣ  ＳＣｅｌｌ４１５−ｂのリソースをスケジュールし得るＰＣｅｌｌ  ＴＴＩ  ｋ＋２  ４２５−ａ内のＰＤＣＣＨメッセージ（たとえば、ｕＰＤＣＣＨ）４２４−ａを送信し得る。
【００５６】
[0066]ＵＥ１１５は、ＰＣｅｌｌ  ＴＴＩ  ｋ  ４２３−ｂ内の高速アクティベーション４２２−ｂを受信してよく、ＣＣＡがｅＣＣ  ＳＣｅｌｌ  ＴＴＩ  ｎ＋５  ４２６−ｂ内でクリアされた後にのみ制御およびデータ送信のためにｅＣＣ  ＳＣｅｌｌ４１５−ｂをモニタすることを開始してよい。次いで、基地局１０５は、ｅＣＣ  ＳＣｅｌｌ  ＴＴＩ  ｎ＋６  ４２７−ｂ内の、いくつかの場合には後続のｅＣＣ  ＳＣｅｌｌ  ＴＴＩ内の、チャネル使用ビーコンまたはプリアンブルを受信し得る。ＵＥ１１５は、ｅＣＣ  ＳＣｅｌｌ  ＴＴＩ  ｎ＋１０  ４２８−ｂ内で開始するｅＣＣ  ＳＣｅｌｌリソースをスケジュールし得る、ＰＣｅｌｌ  ＴＴＩ  ｋ＋２  ４２５−ｂ内のＰＤＣＣＨメッセージ４２４−ｂを受信し得る。ＵＥ１１５はｅＣＣ  ＳＣｅｌｌ４１５−ｂをモニタすることを開始してよく、スケジュールされている場合、ｅＣＣ  ＳＣｅｌｌ  ＴＴＩ  ｎ＋１０  ４２８−ｂ内のデータを受信してよい。言い換えれば、ＰＤＣＣＨメッセージ４２４−ｂは、時間的に重複しないｅＣＣ  ＳＣｅｌｌ４１５−ｂのリソースをスケジュールし得る。
【００５７】
[0067]図５Ａおよび図５Ｂは、本開示の様々な態様による、高速ｅＣＣアクティベーションをサポートする、図１および図２のシステム１００および２００を含むシステム内でクロスキャリアスケジュールされたｅＣＣに対してシグナリングする例を示す。図５Ａの例では、ＣＡ構成５０１は、図２のＰＣｅｌｌ２０５の一例であり得るＰＣｅｌｌ５０５−ａを含み、ＰＣｅｌｌ５０５−ａは、図２のｅＣＣ  ＳＣｅｌｌ２１５の一例であり得るｅＣＣ  ＳＣｅｌｌ５１５−ａのチャネル利用可能性を示すために使用され得る。図５Ａおよび図５Ｂの例では、ＵＥ１１５は、ＣＣＡがクリアされた後にＰＣｅｌｌ５０５−ａから高速ｅＣＣアクティベーション（たとえば、チャネル利用可能性インジケーション）を受信し得る。したがって、高速ｅＣＣアクティベーションとｅＣＣスケジューリングの両方は、ＰＣｅｌｌ５０５−ａによって示されるかまたはＰＣｅｌｌ５０５−ａ上で送信されてよく、ＣＣＡはクリアされ、さらに、ｅＣＣ高速アクティベーションが、次いでｅＣＣリソースの許可が発生してよい。
【００５８】
[0068]ＰＣｅｌｌ５０５−ａは、ＬＴＥヌメロロジーに基づき得るＰＣｅｌｌ  ＴＴＩ５１０−ａを有してよく、たとえば、ＰＣｅｌｌ  ＴＴＩ５１０−ａの各々は、１ｍｓであってよく、または異なる、より低いレイテンシヌメロロジーを有してもよい。ＰＣｅｌｌ  ＴＴＩ５１０−ａはＵＬＬ  ＴＴＩであってよく、ＵＬＬ制御またはＵＬＬデータと呼ばれる制御およびデータチャネルを搬送してよい。たとえば、ＰＣｅｌｌ  ＴＴＩ５１０−ａの各々は、１ｍｓ未満の持続時間を有し得る。ｅＣＣ  ＳＣｅｌｌ  ＴＴＩ５２０−ａは、それぞれ、ＰＣｅｌｌ  ＴＴＩ５１０−ａの持続時間より短い持続時間を有し得る。たとえば、３つのｅＣＣ  ＳＣｅｌｌ  ＴＴＩ５２０−ａは、１つのＰＣｅｌｌ  ＴＴＩに等しい持続時間を有し得る。基地局１０５は、ＰＣｅｌｌ  ＴＴＩのうちの１つ、ｋ＋１  ５２３−ａの間に高速チャネルアクティベーション５２２−ａを提供し得る。高速アクティベーション５２２−ａは、ＵＥ１１５がｅＣＣ  ＳＣｅｌｌ５１５−ａをモニタすべきであることをＵＥ１１５に示し得る。いくつかの場合には、高速アクティベーション５２２−ａは、ＵＥ１１５が、高速アクティベーション４２２−ａを受信した後のある時間にｅＣＣ  ＳＣｅｌｌ５１５−ａをモニタすべきであること、この時間はシグナリングされてよく、または確定的であってもよい。たとえば、ＵＥ１１５は、高速アクティベーション５２２−ａを受信した後にｅＣＣ  ＳＣｅｌｌ５１５−ａ  ｎ＋４  ｅＣＣ  ＳＣｅｌｌ  ＴＴＩをモニタし得る。高速アクティベーション５２２−ａはＰＣｅｌｌ  ＴＴＩ内のＦＤＭであってよく、それによって高速アクティベーション５２２−ａはＰＣｅｌｌ  ＴＴＩ  ｋ＋１  ５２３−ａの持続時間の間であるが、ＰＣｅｌｌ５０５−ａの全帯域幅を占有することはない。また、基地局１０５は、ｅＣＣ  ＳＣｅｌｌ５１５−ａのリソースをスケジュールし得るＰＣｅｌｌ  ＴＴＩ  ｋ＋２  ５２５−ａ内のＰＤＣＣＨメッセージ（たとえば、ｕＰＤＣＣＨ）５２４−ａを送信し得る。ＵＥ１１５は、高速アクティベーション５２２−ａを受信すると、ＰＤＣＣＨメッセージをモニタすることを開始し得る。
【００５９】
[0069]ＵＥ１１５は、ＰＣｅｌｌ  ＴＴＩ  ｋ＋１  ５２３−ａ内で高速アクティベーション５２２−ａを受信し得る。ＣＣＡはｅＣＣ  ＳＣｅｌｌ  ＴＴＩ  ｎ  ５２６−ａ内でクリアされてよく、基地局１０５はｅＣＣ  ＳＣｅｌｌ  ＴＴＩ  ｎ＋１  ５２７−ａ内で開始するチャネル使用ビーコンを送信してよい。ＵＥ１１５は、ＰＤＣＣＨメッセージ５２４−ａによって割り当てられたデータ（たとえば、ＰＤＳＣＨ）をｅＣＣ  ＳＣｅｌｌ  ＴＴＩ  ｎ＋７  ５２８−ａ内で、ＵＥ１１５が高速アクティベーション５２２−ａを受信した後に確定的時間に従ってｅＣＣ  ＳＣｅｌｌ５１５−ａをモニタすることを開始するＴＴＩの間に、受信し得る。図５Ａの例では、ＰＣｅｌｌ５０５−ａは、スケジュールされたリソースがＰＤＣＣＨメッセージ５２４−ａと時間的に重複するように、ｅＣＣ  ＳＣｅｌｌ５１５−ａのリソースをスケジュールし得る。
【００６０】
[0070]図５Ｂの例では、ＰＣｅｌｌ５０５−ｂは、今後の、ｅＣＣ  ＳＣｅｌｌ５１５−ｂの重複しないリソースをスケジュールし得る。図５Ｂａは、図２のＰＣｅｌｌ２０５の一例であり得るＰＣｅｌｌ５０５−ｂを含むＣＡ構成５０２を含み、ＰＣｅｌｌ５０５−ｂは、図２のｅＣＣ  ＳＣｅｌｌ２１５の一例であり得るｅＣＣ  ＳＣｅｌｌ５１５−ｂのチャネル利用可能性を示すために使用され得る。ＰＣｅｌｌ５０５−ｂは、ＬＴＥヌメロロジーに基づき得るか、または異なる、より低いレイテンシヌメロロジーを有し得る、ＰＣｅｌｌ  ＴＴＩ５１０−ｂを有し得る。ＰＣｅｌｌ  ＴＴＩ５１０−ｂはＵＬＬ  ＴＴＩであってよく、ＵＬＬ制御またはＵＬＬデータと呼ばれる制御およびデータチャネルを搬送し得る。たとえば、ＰＣｅｌｌ  ＴＴＩ５１０−ｂの各々は、１ｍｓ未満の持続時間を有し得る。ｅＣＣ  ＳＣｅｌｌ  ＴＴＩ５２０−ｂは、それぞれ、ＰＣｅｌｌ  ＴＴＩ５１０−ａの持続時間より短い持続時間を有し得る。たとえば、３つのｅＣＣ  ＳＣｅｌｌ  ＴＴＩ５２０−ｂは、１つのＰＣｅｌｌ  ＴＴＩに等しい持続時間を有し得る。基地局１０５は、ＰＣｅｌｌ  ＴＴＩのうちの１つ、ｋ＋１  ５２３−ｂの間に高速チャネルアクティベーション５２２−ｂを提供し得る。
【００６１】
[0071]高速アクティベーション５２２−ｂは、ＵＥ１１５がｅＣＣ  ＳＣｅｌｌ５１５−ｂをモニタすべきであることをＵＥ１１５に示してよく、たとえば、ＵＥ１１５は、ＵＥ１１５がｅＣＣ  ＳＣｅｌｌ５１５−ｂ上でリソースをスケジュールされるとき、ｅＣＣ  ＳＣｅｌｌ５１５−ｂをモニタすることを開始し得る。たとえば、ＵＥ１１５は、高速アクティベーション５２２−ａを受信した後、およびＰＣｅｌｌ  ＴＴＩ  ｋ＋２内でＰＤＣＣＨメッセージ５２４−ｂを受信した後、メイする。高速アクティベーション５２２−ａはＰＣｅｌｌ  ＴＴＩ内のＦＤＭであってよく、それによって高速アクティベーション５２２−ａは、ＰＣｅｌｌ  ＴＴＩ  ｋ＋１  ５２３−ａの持続時間の間であるが、ＰＣｅｌｌ５０５−ａの全帯域幅を占有することはない。ＵＥ１１５は、高速アクティベーション５２２−ａを受信すると、ＰＤＣＣＨメッセージ５２４−ｂをモニタすることを開始し得る。ＣＣＡはｅＣＣ  ＳＣｅｌｌ  ＴＴＩ  ｎ  ５２６−ｂ内でクリアされてよく、基地局１０５はｅＣＣ  ＳＣｅｌｌ  ＴＴＩ  ｎ＋１  ５２７−ｂ内で開始するチャネル使用ビーコンを送信してよい。ＵＥ１１５は、ＰＤＣＣＨメッセージ５２４−ｂによって割り当てられるデータ（たとえば、ＰＤＳＣＨ）をｅＣＣ  ＳＣｅｌｌ  ＴＴＩ  ｎ＋７  ５２８−ｂ内で受信し得る。
【００６２】
[0072]図３Ｂ、図５Ａおよび図５Ｂに示すように、ＣＣＡがクリアされた後に高速ｅＣＣアクティベーションが示される場合、実際のデータ送信は、図３Ａ、図４Ａおよび図４Ｂに示すように、ＣＣＡがクリアされる前の高速ｅＣＣアクティベーションと比較して遅延され得る。モニタリングとリソースとにおいてトレードオフが存在する場合がある。すなわち、ＣＣＡの後の高速ｅＣＣアクティベーションは、ＵＥ１１５がｅＣＣをモニタするために必要なリソース（たとえば、バッテリー電力、時間、など）を保存することを可能にするが、モニタする前の高速ｅＣＣアクティベーションより大きい、ＣＣＡとｅＣＣ上の通信との間の遅延を引き起こす場合がある。したがって、図１および図２のシステム１００および２００のように、高速ｅＣＣアクティベーションをサポートするシステムは、図３Ａ〜図５Ｂを参照しながら説明された様々な例を利用することによって異なる目的を達成し得る。
【００６３】
[0073]図６は、本開示の様々な態様による、高速ｅＣＣアクティベーションをサポートするシステムに対するプロセスフロー６００の一例を示す。プロセスフロー６００は、図１〜図５Ｂを参照しながら本明細書で説明されたＵＥ１１５および基地局１０５の一例であり得る、ＵＥ１１５−ｂおよび基地局１０５−ｂを含み得る。ＵＥ１１５−ｂはｅＣＣを有するＣＡをサポートしてよく、基地局１０５−ｂはｅＣＣを有するＣＡに対するＵＥ１１５−ａを構成してよい。
【００６４】
[0074]６０５において、認可周波数帯域幅を利用する第１のＣＣと無認可周波数帯域幅を利用する第２のＣＣとを含むＣＡ構成を示すシグナリングを、基地局１０５−ｂが送信し、ＵＥ１１５−ａが受信し得る。いくつかの例では、第１のＣＣはＰＣＣ（たとえば、ＰＣｅｌｌ）であり、第２のＣＣはｅＣＣ（たとえば、ｅＣＣ  ＳＣｅｌｌ）である。
【００６５】
[0075]６１０において、第２のＣＣ上のチャネル利用可能性を示す制御信号を第１のＣＣ上で、基地局１０５−ｂが送信し、ＵＥ１１５−ｂが受信し得る。制御信号を送信することは、制御信号を受信すると第２のＣＣをモニタするように構成された制御信号をいくつかのＵＥ１１５にマルチキャストすることを含み得る。代替として、制御信号を送信することは、制御信号を受信した後に第１の確定的時間において開始するＰＤＣＣＨメッセージに対する第１のＣＣをモニタすることと、制御信号を受信した後に第２の確定的時間において開始するＰＤＣＣＨメッセージについて第２のＣＣをモニタすることとを行うように構成された制御信号をいくつかのＵＥ１１５にマルチキャストすることを含み得る。いくつかの場合には、制御信号を送信することは、制御信号を受信した後に第１の確定的時間において開始するＰＤＣＣＨメッセージについて第１のＣＣをモニタすることと、ＰＤＣＣＨメッセージを受信したことに応答してデータチャネルについて第２のＣＣをモニタすることとを行うように構成された制御信号をいくつかのＵＥ１１５にマルチキャストすることを含む。
【００６６】
[0076]いくつかの場合には、基地局１０５−ｂは、第２のＣＣのチャネルが、制御信号を送信した後に通信に対して利用可能であることを決定し得る。いくつかの例では、基地局１０５−ｂは、第２のＣＣのチャネルが通信のために利用可能であると決定してよく、制御信号は、第２のＣＣのチャネルが利用可能であると決定した後に送信されてよい。いくつかの場合には、基地局１０５−ｂは、基地局１０５−ｂがチャネルを維持するのを支援し得る、チャネル使用ビーコンを第２のＣＣ上で送信し得る。
【００６７】
[0077]制御信号は、制御信号を受信すると第２のＣＣをモニタするように構成されたＵＥ１１５に対するＰＤＣＣＨフォーマットを含み得る物理チャネルであり得る。いくつかの例では、制御信号は、第１のＣＣの帯域幅のサブバンド上で送られ得る。
【００６８】
[0078]６１５において、受信された制御信号に応答して、ＵＥ１１５−ｂは第２のＣＣをモニタし得る。いくつかの例では、６２０において、ＵＥ１１５−ｂは、モニタリングに基づいてモニタリングタイマーを始動し得る。
【００６９】
[0079]６２５において、第２のＣＣ上のプリアンブル送信を、基地局１０５−ｂが送信し、ＵＥ１１５−ｂが受信し得る。いくつかの例では、６３０において、ＵＥ１１５−ｂは、受信されたプリアンブル送信に応答してモニタリングタイマーを再始動し得る。他の例では、ＵＥ１１５−ｂは、プリアンブル送信が第２のＣＣ上で受信される前にモニタリングタイマーが満了したと決定してよく、ＵＥ１１５−ｂは、第２のＣＣのモニタリングを終了してよい。
【００７０】
[0080]６３５において、第２のＣＣ上のＰＤＣＣＨまたはＰＤＳＣＨメッセージを、基地局１０５−ｂが送信してＵＥ１１５−ｂが受信してよく、ＰＤＣＣＨまたはＰＤＳＣＨのメッセージは、第２のＣＣのリソースをスケジュールする。
【００７１】
[0081]代替として、６４０において、第２のＣＣのリソースをスケジュールし得るＰＤＣＣＨメッセージを第１のＣＣ上で、基地局１０５−ｂが送信してＵＥ１１５−ｂが受信し得る。いくつかの例では、第１のＣＣのＴＴＩの持続時間は第２のＣＣのＴＴＩの持続時間とは異なり、ＰＤＣＣＨメッセージは、第１のＣＣのＴＴＩ内で送信されてよく、第１のＣＣのＴＴＩと時間的に重複する第２のＣＣのＴＴＩを割り当てる。いくつかの例では、ＵＥ１１５−ｂは、制御信号を受信した後に第１の確定的時間において開始するＰＤＣＣＨメッセージについて第１のＣＣをモニタしてよく、ＵＥ１１５−ｂは、制御信号を受信した後に第２の確定的時間において開始するＰＤＣＣＨメッセージについて第２のＣＣをモニタしてよい。いくつかの例では、第１の確定的時間は第１のＣＣのいくつかのＴＴＩを含み、第２の確定的時間は第２のＣＣのいくつかのＴＴＩを含み得る。
【００７２】
[0082]いくつかの場合、第１のＣＣのＴＴＩの持続時間は第２のＣＣのＴＴＩの持続時間とは異なり、ＰＤＣＣＨメッセージは、第１のＣＣのＴＴＩ内で送信され、第１のＣＣの後続のＴＴＩと時間的に少なくとも部分的に重複する第２のＣＣのＴＴＩを割り当てる。
【００７３】
[0083]いくつかの場合、ＵＥ１１５−ｂは、制御信号を受信した後に第１の確定的時間において開始するＰＤＣＣＨメッセージについて第１のＣＣをモニタし、ＵＥ１１５−ｂは、ＰＤＣＣＨメッセージを受信したことに応答してデータチャネルについて第２のＣＣをモニタし得る。
【００７４】
[0084]次に図７を参照すると、本開示の様々な態様による、高速ｅＣＣアクティベーションをサポートする例示的なワイヤレスデバイス７００が示される。ワイヤレスデバイス７００は、図１〜図６を参照しながら説明されたＵＥ１１５の態様の一例であり得る。ワイヤレスデバイス７００は、受信機７０５、高速ｅＣＣアクティベーションモジュール７１０、または送信機７１５を含み得る。また、ワイヤレスデバイス７００はプロセッサを含み得る。これらの構成要素の各々は互いと通信していることがある。
【００７５】
[0085]受信機７０５は、パケット、ユーザデータ、または様々な情報チャネルに関連する制御情報など（たとえば、制御チャネル、データチャネル、および高速ｅＣＣアクティベーションに関係する情報など）の情報を受信し得る。情報は、高速ｅＣＣアクティベーションモジュール７１０に、およびワイヤレスデバイス７００の他の構成要素に受け渡され得る。
【００７６】
[0086]高速ｅＣＣアクティベーションモジュール７１０は、受信機７０５との組合せで、認可周波数帯域幅を利用する第１のＣＣと無認可周波数帯域幅を利用する第２のＣＣとを含み得るＣＡ構成を示すシグナリングを受信し得る。また、高速ｅＣＣアクティベーションモジュール７１０は、第２のＣＣ上のチャネル利用可能性を示す制御信号を第１のＣＣ上で受信し得る。
【００７７】
[0087]送信機７１５は、ワイヤレスデバイス７００の他の構成要素から受信された信号を送信し得る。いくつかの例では、送信機７１５は、トランシーバモジュールにおいて受信機７０５とコロケートされ得る。送信機７１５は単一のアンテナを含み得るか、またはそれは複数のアンテナを含み得る。
【００７８】
[0088]図８は、本開示の様々な態様による、高速ｅＣＣアクティベーションをサポートする例示的なワイヤレスデバイス８００を示す。ワイヤレスデバイス８００は、図１〜図７を参照しながら説明されたワイヤレスデバイス７００またはＵＥ１１５の態様の一例であり得る。ワイヤレスデバイス８００は、受信機７０５−ａ、高速ｅＣＣアクティベーションモジュール７１０−ａ、または送信機７１５−ａを含み得る。ワイヤレスデバイス８００はまた、プロセッサを含み得る。これらの構成要素の各々は互いと通信し得る。また、高速ｅＣＣアクティベーションモジュール７１０−ａは、ＣＡ構成モジュール８０５と、チャネル利用可能性モジュール８１０とを含み得る。
【００７９】
[0089]受信機７０５−ａは、高速ｅＣＣアクティベーションモジュール７１０−ａに、およびデバイス８００の他の構成要素に受け渡され得る情報を受信し得る。高速ｅＣＣアクティベーションモジュール７１０−ａは、図７を参照しながら本明細書で説明された動作を実行し得る。送信機７１５−ａは、ワイヤレスデバイス８００の他の構成要素から受信された信号を送信し得る。
【００８０】
[0090]ＣＡ構成モジュール８０５は、図２〜図６を参照しながら本明細書で説明されたように、認可周波数帯域幅を利用する第１のＣＣと無認可周波数帯域幅を利用する第２のＣＣとを含む、ＣＡ構成を示すシグナリングを受信し得る。いくつかの例では、第１のＣＣはＰＣＣであり、第２のＣＣはｅＣＣである。
【００８１】
[0091]チャネル利用可能性モジュール８１０は、図２〜図６を参照しながら本明細書で説明されたように、第２のＣＣ上のチャネル利用可能性を示す制御信号を第１のＣＣ上で受信し得る。いくつかの例では、制御信号は物理チャネルである。追加または代替として、制御信号は、第１のＣＣの帯域幅のサブバンドを占有し得る。
【００８２】
[0092]図９は、本開示の様々な態様による、高速ｅＣＣアクティベーションをサポートするワイヤレスデバイス７００またはワイヤレスデバイス８００の構成要素であり得る高速ｅＣＣアクティベーションモジュール７１０−ｂのブロック図９００を示す。高速ｅＣＣアクティベーションモジュール７１０−ｂは、図７〜図８を参照しながら説明された高速ｅＣＣアクティベーションモジュール７１０の態様の一例であり得る。高速ｅＣＣアクティベーションモジュール７１０−ｂは、ＣＡ構成モジュール８０５−ａと、チャネル利用可能性モジュール８１０−ａとを含み得る。これらのモジュールの各々は、図８を参照しながら本明細書で説明された機能を実行し得る。また、高速ｅＣＣアクティベーションモジュール７１０−ｂは、ｅＣＣモニタリングモジュール９０５と、モニタリングタイマーモジュール９１０と、ＤＬ制御チャネルモジュール９１５と、クロスキャリアスケジューリングモジュール９２０とを含み得る。
【００８３】
[0093]ｅＣＣモニタリングモジュール９０５は、図２〜図６を参照しながら本明細書で説明されたように、受信された制御信号に応答して第２のＣＣをモニタし得る。また、ｅＣＣモニタリングモジュール９０５は、第２のＣＣ上でプリアンブル送信を受信し得る。いくつかの例では、ｅＣＣモニタリングモジュール９０５は、モニタリングタイマーが満了すると第２のＣＣのモニタリングを終了し得る。いくつかの例では、ｅＣＣモニタリングモジュール９０５は、制御信号が受信された後に第２の確定的時間において開始する第２のＣＣをモニタし得る。ｅＣＣモニタリングモジュール９０５は、たとえばデバイス７００または８００においてＰＤＣＣＨメッセージを受信したことに応答してデータチャネルについて第２のＣＣをモニタし得る。
【００８４】
[0094]モニタリングタイマーモジュール９１０は、図２〜図６を参照しながら本明細書で説明されたように、モニタリングに基づいてモニタリングタイマーを始動し得る。また、モニタリングタイマーモジュール９１０は、受信されたプリアンブル送信に応答してモニタリングタイマーを再始動し得る。また、モニタリングタイマーモジュール９１０は、プリアンブル送信が第２のＣＣ上で受信される前にモニタリングタイマーが満了したと決定してよく、そのことをモニタリングモジュール９０５に示してよい。
【００８５】
[0095]ＤＬ制御チャネルモジュール９１５は、図２〜図３Ｂおよび図６を参照しながら本明細書で説明されたように、第２のＣＣ上でＰＤＣＣＨまたはＰＤＳＣＨのメッセージを受信してよく、ＰＤＣＣＨまたはＰＤＳＣＨのメッセージは第２のＣＣのリソースをスケジュールしてよい。いくつかの場合には、ＤＬ制御チャネルモジュール９１５は、図２、図４Ａ〜図５Ｂおよび図６を参照しながら本明細書で説明されたように、第１のＣＣ上でＰＤＣＣＨメッセージを受信してよく、ＰＤＣＣＨメッセージは第２のＣＣのリソースをスケジュールする。いくつかの例では、第１のＣＣのＴＴＩの持続時間は第２のＣＣのＴＴＩの持続時間とは異なり、ＰＤＣＣＨメッセージは、第１のＣＣのＴＴＩ内で送信されてよく、第１のＣＣのＴＴＩと時間的に少なくとも部分的に重複する第２のＣＣのＴＴＩを割り当てる。いくつかの例では、第１のＣＣのＴＴＩの持続時間は第２のＣＣのＴＴＩの持続時間とは異なり、ＰＤＣＣＨメッセージは、第１のＣＣのＴＴＩ内で送信されてよく、第１のＣＣの後続のＴＴＩと時間的に重複する第２のＣＣのＴＴＩを割り当てる。
【００８６】
[0096]クロスキャリアスケジューリングモジュール９２０は、図２、図４Ａ〜図５Ｂおよび図６を参照しながら本明細書で説明されたように、制御信号を受信した後に第１の確定的時間において開始するＰＤＣＣＨメッセージに対する第１のＣＣをモニタし得る。いくつかの例では、第１の確定的時間は第１のＣＣのいくつかのＴＴＩであってよく、第２の確定的時間は第２のＣＣのいくつかのＴＴＩであってよい。
【００８７】
[0097]図１０は、本開示の様々な態様による、高速ｅＣＣアクティベーションをサポートする例示的なシステム１０００を示す。システム１０００は、図１、図２および図７〜図９を参照しながら本明細書で説明されたワイヤレスデバイス７００、ワイヤレスデバイス８００、またはＵＥ１１５の一例であり得る、ＵＥ１１５−ｃを含み得る。ＵＥ１１５−ｃは、図７〜図９を参照しながら説明された高速ｅＣＣアクティベーションモジュール７１０の一例であり得る、高速ｅＣＣアクティベーションモジュール１０１０を含み得る。また、ＵＥ１１５−ｃは、タイマー制御モジュール１０２５を含み得る。ＵＥ１１５−ｃは、通信を送信するための構成要素と通信を受信するための構成要素とを含む、双方向音声およびデータ通信のための構成要素をも含み得る。たとえば、ＵＥ１１５−ｃは、基地局１０５−ｃまたは１０５−ｄと双方向に通信し得る。
【００８８】
[0098]いくつかの例では、タイマー制御モジュール１０２５は、ＵＥ１１５−ｃの様々なタイマーを制御（たとえば、始動、再始動、など）し得る。たとえば、タイマー制御モジュール１０２５はモニタリングタイマーを始動してよく、ＵＥ１１５−ｃがｅＣＣをモニタしている間にＵＥ１１５−ｃが、たとえば基地局１０５−ｃからプリアンブルをｅＣＣ上で受信した場合、タイマー制御モジュール１０２５はモニタリングタイマーを再始動してよい。
【００８９】
[0099]ＵＥ１１５−ｃはまた、プロセッサ１００５と、（ソフトウェア（ＳＷ）１０２０を含む）メモリ１０１５と、トランシーバ１０３５と、１つまたは複数のアンテナ１０４０とを含み得、それらの各々は、（たとえば、バス１０４５を介して）互いと直接または間接的に通信し得る。トランシーバ１０３５は、上記で説明されたように、（１つまたは複数の）アンテナ１０４０あるいはワイヤードリンクまたはワイヤレスリンクを介して、１つまたは複数のネットワークと双方向に通信し得る。たとえば、トランシーバ１０３５は、基地局１０５または別のＵＥ１１５と双方向に通信し得る。トランシーバ１０３５は、パケットを変調し、変調されたパケットを送信のために（１つまたは複数の）アンテナ１０４０に与え、（１つまたは複数の）アンテナ１０４０から受信されたパケットを復調するためのモデムを含み得る。ＵＥ１１５−ｃは単一のアンテナ１０４０を含む場合があるが、ＵＥ１１５−ｃは、複数のワイヤレス送信を同時に送信または受信することが可能な複数のアンテナ１０４０を有する場合もある。
【００９０】
[0100]メモリ１０１５は、ランダムアクセスメモリ（ＲＡＭ）と読取り専用メモリ（ＲＯＭ）とを含む場合がある。メモリ１０１５は、実行されたとき、プロセッサ１００５に本明細書で説明される様々な機能（たとえば、高速ｅＣＣアクティベーションなど）を実行させる命令を含むコンピュータ可読、コンピュータ実行可能ソフトウェア／ファームウェアコード１０２０を記憶し得る。代替的に、ソフトウェア／ファームウェアコード１０２０は、プロセッサ１００５によって直接的に実行可能でないことがあるが、（たとえば、コンパイルされ実行されたとき）コンピュータに本明細書で説明される機能を実施させ得る。プロセッサ１００５は、インテリジェントハードウェアデバイス（たとえば、中央処理ユニット（ＣＰＵ）、マイクロコントローラ、ＡＳＩＣなど）を含み得る。
【００９１】
[0101]図１１は、本開示の様々な態様による、高速ｅＣＣアクティベーションをサポートする例示的なワイヤレスデバイス１１００を示す。ワイヤレスデバイス１１００は、図１〜図６および図１０を参照しながら説明された基地局１０５の態様の一例であり得る。ワイヤレスデバイス１１００は、受信機１１０５、基地局高速ｅＣＣアクティベーションモジュール１１１０、または送信機１１１５を含み得る。また、ワイヤレスデバイス１１００はプロセッサを含み得る。これらの構成要素の各々は互いと通信していることがある。
【００９２】
[0102]受信機１１０５は、パケット、ユーザデータ、または様々な情報チャネルに関連する制御情報など（たとえば、制御チャネル、データチャネル、および高速ｅＣＣアクティベーションに関係する情報など）の情報を受信し得る。情報は、基地局高速ｅＣＣアクティベーションモジュール１１１０に、およびワイヤレスデバイス１１００の他の構成要素に受け渡され得る。
【００９３】
[0103]基地局高速ｅＣＣアクティベーションモジュール１１１０は、送信機１１１５との組合せで、認可周波数帯域幅を利用する第１のＣＣと無認可周波数帯域幅を利用する第２のＣＣとを含むＣＡ構成を示すシグナリングを送信してよく、基地局高速ｅＣＣアクティベーションモジュール１１１０は、第２のＣＣ上のチャネル利用可能性を示す制御信号を第１のＣＣ上で送信してよい。
【００９４】
[0104]送信機１１１５は、ワイヤレスデバイス１１００の他の構成要素から受信された信号を送信し得る。いくつかの例では、送信機１１１５は、トランシーバモジュールにおいて受信機１１０５とコロケートされ得る。送信機１１１５は単一のアンテナを含み得るか、またはそれは複数のアンテナを含み得る。
【００９５】
[0105]図１２は、本開示の様々な態様による、高速ｅＣＣアクティベーションをサポートする例示的なワイヤレスデバイス１２００を示す。ワイヤレスデバイス１２００は、図１〜図６、図１０および図１１を参照しながら説明されたワイヤレスデバイス１１００または基地局１０５の態様の一例であり得る。ワイヤレスデバイス１２００は、受信機１１０５−ａ、基地局高速ｅＣＣアクティベーションモジュール１１１０−ａ、または送信機１１１５−ａを含み得る。ワイヤレスデバイス１２００はまた、プロセッサを含み得る。これらの構成要素の各々は互いと通信していることがある。また、基地局高速ｅＣＣアクティベーションモジュール１１１０−ａは、ＢＳ  ＣＡ構成モジュール１２０５と、ＢＳチャネル利用可能性モジュール１２１０とを含み得る。
【００９６】
[0106]受信機１１０５−ａは、基地局高速ｅＣＣアクティベーションモジュール１１１０−ａに、およびワイヤレスデバイス１２００の他の構成要素に受け渡され得る情報を受信し得る。基地局高速ｅＣＣアクティベーションモジュール１１１０−ａは、図１１を参照しながら本明細書で説明された動作を実行し得る。送信機１１１５−ａは、ワイヤレスデバイス１２００の他の構成要素から受信された信号を送信し得る。
【００９７】
[0107]ＢＳ  ＣＡ構成モジュール１２０５は、図２〜図６を参照しながら本明細書で説明されたように、認可周波数帯域幅を利用する第１のＣＣと無認可周波数帯域幅を利用する第２のＣＣとを含む、ＣＡ構成を示すシグナリングを送信し得る。いくつかの例では、第１のＣＣはＰＣＣであり、第２のＣＣはｅＣＣである。
【００９８】
[0108]ＢＳチャネル利用可能性モジュール１２１０は、図２〜図６を参照しながら本明細書で説明されたように、第２のＣＣ上のチャネル利用可能性を示す制御信号を第１のＣＣ上で送信し得る。制御信号は物理チャネルであり得る。いくつかの例では、制御信号は、第１のＣＣの帯域幅のサブバンドであり得る。
【００９９】
[0109]図１３は、本開示の様々な態様による、高速ｅＣＣアクティベーションをサポートするワイヤレスデバイス１１００またはワイヤレスデバイス１２００の構成要素であり得る基地局高速ｅＣＣアクティベーションモジュール１１１０−ｂのブロック図１３００を示す。基地局高速ｅＣＣアクティベーションモジュール１１１０−ｂは、図１１〜図１２を参照しながら説明された基地局高速ｅＣＣアクティベーションモジュール１１１０の態様の一例であり得る。基地局高速ｅＣＣアクティベーションモジュール１１１０−ｂは、ＢＳ  ＣＡ構成モジュール１２０５−ａと、ＢＳチャネル利用可能性モジュール１２１０−ａとを含み得る。これらのモジュールの各々は、図１２を参照しながら本明細書で説明された機能を実行し得る。また、基地局高速ｅＣＣアクティベーションモジュール１１１０−ｂは、ＢＳ  ｅＣＣモニタリングモジュール１３０５と、クリアチャネルアセスメントモジュール１３１０と、ｅＣＣ送信モジュール１３１５と、ＢＳ  ＤＬ制御チャネルモジュール１３２０と、ＢＳクロスキャリアスケジューリングモジュール１３２５とを含み得る。
【０１００】
[0110]ＢＳ  ｅＣＣモニタリングモジュール１３０５は、図２〜図６を参照しながら本明細書で説明されたように、ワイヤレスデバイス１１００または１２００に、制御信号を受信すると第２のＣＣをモニタするように構成された制御信号を複数のデバイスに向けてマルチキャストさせるように構成され得る。
【０１０１】
[0111]クリアチャネルアセスメントモジュール１３１０は、図２〜図６を参照しながら本明細書で説明されたように、第２のＣＣのチャネルが、制御信号を送信した後に通信のために利用可能であると決定し得る。また、クリアチャネルアセスメントモジュール１３１０は、第２のＣＣのチャネルが利用可能であると決定した後に制御信号が送信され得るように、第２のＣＣのチャネルが通信のために利用可能であると決定し得る。
【０１０２】
[0112]ｅＣＣ送信モジュール１３１５は、図２〜図６を参照しながら本明細書で説明されたように、第２のＣＣ上でプリアンブルを送信し得る。また、ｅＣＣ送信モジュール１３１５は、第２のＣＣ上でチャネル使用ビーコンを送信し得る。
【０１０３】
[0113]ＢＳ  ＤＬ制御チャネルモジュール１３２０は、図２〜図６を参照しながら本明細書で説明されたように、第２のＣＣ上でＰＤＣＣＨまたはＰＤＳＣＨを送信してよく、ＰＤＣＣＨまたはＰＤＳＣＨは第２のＣＣのリソースをスケジュールしてよい。いくつかの例では、ＢＳ  ＤＬ制御チャネルモジュール１３２０は、第１のＣＣ上でＰＤＣＣＨメッセージを送信してよく、ＰＤＣＣＨメッセージは第２のＣＣのリソースをスケジュールしてよい。いくつかの例では、第１のＣＣの送信ＴＴＩの持続時間は第２のＣＣのＴＴＩの持続時間とは異なり、ＰＤＣＣＨメッセージは、第１のＣＣのＴＴＩ内で送信されてよく、第１のＣＣのＴＴＩと時間的に重複する第２のＣＣのＴＴＩを割り当ててよい。いくつかの例では、第１のＣＣのＴＴＩの持続時間は第２のＣＣのＴＴＩの持続時間とは異なり、ＰＤＣＣＨメッセージは、第１のＣＣのＴＴＩ内で送信されてよく、第１のＣＣの後続のＴＴＩと時間的に重複する第２のＣＣのＴＴＩを割り当ててよい。
【０１０４】
[0114]ＢＳクロスキャリアスケジューリングモジュール１３２５は、図２〜図６を参照しながら本明細書で説明されたように、ワイヤレスデバイス１１００または１２００に、制御信号を受信した後に第１の確定的時間において開始するＰＤＣＣＨメッセージに対する第１のＣＣをモニタすることと、制御信号を受信した後に第２の確定的時間において開始するＰＤＣＣＨメッセージについて第２のＣＣをモニタすることとを行うように構成された制御信号をいくつかのデバイスに向けてマルチキャストさせ得る。いくつかの例では、第１の確定的時間は第１のＣＣのいくつかのＴＴＩを含み、第２の確定的時間は第２のＣＣのいくつかのＴＴＩを含み得る。いくつかの例では、ＢＳクロスキャリアスケジューリングモジュール１３２５は、ワイヤレスデバイス１１００または１２００に、制御信号を受信した後に第１の確定的時間において開始するＰＤＣＣＨメッセージについて第１のＣＣをモニタすることと、ＰＤＣＣＨメッセージを受信したことに応答してデータチャネルについて第２のＣＣをモニタすることとを行うように構成された制御信号をいくつかのデバイスに向けてマルチキャストさせる。
【０１０５】
[0115]ワイヤレスデバイス７００、８００、１１００および１２００、高速ｅＣＣアクティベーションモジュール７１０−ｂ、ならびに基地局高速ｅＣＣアクティベーションモジュール１１１０−ｂの構成要素は、それぞれ、ハードウェアで適用可能な機能の一部または全部を実施するように適応された少なくとも１つの特定用途向け集積回路（ＡＳＩＣ）を用いて、個々にまたはまとめて実装され得る。代替的に、それらの機能は、少なくとも１つのＩＣ上で、１つまたは複数の他の処理ユニット（またはコア）によって実施され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【０１０６】
[0116]図１４は、本開示の様々な態様による、高速ｅＣＣアクティベーション用に構成された基地局１０５を含むシステム１４００の図を示す。システム１４００は、図１、図２および図１１〜図１３を参照しながら本明細書で説明されたワイヤレスデバイス１１００、ワイヤレスデバイス１２００、または基地局１０５の一例であり得る、基地局１０５−ｅを含み得る。基地局１０５−ｅは、図１１〜図１３を参照しながら説明された基地局高速ｅＣＣアクティベーションモジュール１１１０の一例であり得る、基地局高速ｅＣＣアクティベーションモジュール１４１０を含み得る。基地局１０５−ｅは、通信を送信するための構成要素と通信を受信するための構成要素とを含む、双方向音声およびデータ通信のための構成要素をも含み得る。たとえば、基地局１０５−ｅは、基地局１０５−ｆまたはＵＥ１１５−ｇと双方向に通信し得る。
【０１０７】
[0117]いくつかの場合には、基地局１０５−ｅは、１つまたは複数のワイヤードバックホールリンクを有し得る。基地局１０５−ｅは、コアネットワーク１３０−ａまで有線のバックホールリンク（たとえば、Ｓ１インターフェースなど）を有し得る。また、基地局１０５−ｅは、基地局間バックホールリンク（たとえば、Ｘ２インターフェース）を介して基地局１０５−ｆおよび基地局１０５−ｇなど、他の基地局１０５と通信し得る。基地局１０５の各々は、同じまたは異なるワイヤレス通信技術を使用してＵＥ１１５と通信することができる。いくつかの場合には、基地局１０５−ｅは、基地局通信モジュール１４２５を利用して１０５−ｆまたは１０５−ｇなどの他の基地局と通信し得る。いくつかの例では、基地局通信モジュール１４２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｅは、コアネットワーク１３０−ａを通して他の基地局と通信し得る。場合によっては、基地局１０５−ｅは、ネットワーク通信モジュール１４３０を通してコアネットワーク１３０−ｅと通信し得る。
【０１０８】
[0118]基地局１０５−ｅは、プロセッサ１４０５と、（ソフトウェア（ＳＷ）１４２０を含む）メモリ１４１５と、トランシーバ１４３５と、（１つまたは複数の）アンテナ１４４０とを含み得、それらの各々は、（たとえば、バスシステム１４４５を介して）互いと直接または間接的に通信していることがある。トランシーバ１４３５は、（１つまたは複数の）アンテナ１４４０を介して、マルチモードデバイスであり得るＵＥ１１５と双方向に通信するように構成され得る。トランシーバ１４３５（または基地局１０５−ｅの他の構成要素）はまた、アンテナ１４４０を介して、１つまたは複数の他の基地局（図示せず）と双方向に通信するように構成され得る。トランシーバ１４３５は、パケットを変調し、変調されたパケットを送信のためにアンテナ１４４０に与え、アンテナ１４４０から受信されたパケットを復調するように構成されたモデムを含み得る。基地局１０５−ｅは、各々が１つまたは複数の関連するアンテナ１４４０をもつ、複数のトランシーバ１４３５を含み得る。トランシーバは、図１１の組み合わされた受信機１１０５および送信機１１１５の一例であり得る。
【０１０９】
[0119]メモリ１４１５はＲＡＭとＲＯＭとを含み得る。また、メモリ１４１５は、実行されたとき、プロセッサ１４１０に本明細書で説明される様々な機能（たとえば、高速ｅＣＣアクティベーション、カバレージ拡張技法を選択すること、呼処理、データベース管理、メッセージルーティングなど）を実行させるように構成された命令を含んでいるコンピュータ可読、コンピュータ実行可能ソフトウェアコード１４２０を記憶し得る。代替的に、ソフトウェア１４２０は、プロセッサ１４０５によって直接的に実行可能でないことがあるが、たとえば、コンパイルされ実行されたときコンピュータに本明細書で説明される機能を実行させるように構成され得る。プロセッサ１４０５は、インテリジェントハードウェアデバイス、たとえば、ＣＰＵ、マイクロコントローラ、ＡＳＩＣなどを含み得る。プロセッサ１４０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１１０】
[0120]基地局通信モジュール１４２５は他の基地局１０５との通信を管理し得る。通信管理モジュールは、他の基地局１０５と協働してＵＥ１１５との通信を制御するためのコントローラまたはスケジューラを含む場合がある。たとえば、基地局通信モジュール１４２５は、ビームフォーミングまたはジョイント送信などの様々な干渉緩和技法のためのＵＥ１１５への送信のためのスケジューリングを協調させ得る。
【０１１１】
[0121]図１５は、本開示の様々な態様による、高速ｅＣＣアクティベーションのための方法１５００を示すフローチャートを示す。方法１５００の動作は、図１〜図１０および図１４を参照しながら説明されたようなＵＥ１１５またはそれの構成要素によって実施され得る。たとえば、方法１５００の動作は、図７〜図１０を参照しながら説明されたように高速ｅＣＣアクティベーションモジュール７１０によって実行され得る。いくつかの例では、ＵＥ１１５は、以下で説明される機能を実施するようにＵＥ１１５の機能要素を制御するためのコードのセットを実行し得る。追加または代替として、ＵＥ１１５は、専用ハードウェアを使用して、以下で説明される態様機能を実施し得る。
【０１１２】
[0122]ブロック１５０５において、ＵＥ１１５は、図２〜図６を参照しながら本明細書で説明されたように、第１のＣＣと第２のＣＣとを含むＣＡ構成を示すシグナリングを受信し得る。いくつかの場合、第１のＣＣはプライマリキャリアを含んでよく、第２のＣＣはセカンダリキャリアを含んでよい。プライマリキャリア（または第１のＣＣ）およびセカンダリキャリア（または第２のＣＣ）は、認可周波数帯域幅または無認可周波数帯域幅を利用し得る。たとえば、プライマリキャリア（または第１のＣＣ）は認可周波数帯域幅を利用してよく、セカンダリキャリア（または第２のＣＣ）は無認可周波数帯域幅を利用してよい。いくつかの例では、ブロック１５０５の動作は、図８を参照しながら本明細書で説明されたように、ＣＡ構成モジュール８０５によって実行され得る。
【０１１３】
[0123]ブロック１５１０において、ＵＥ１１５は、図２〜図６を参照しながら本明細書で説明されたように、第２のＣＣ上のチャネル利用可能性を示す制御信号を第１のＣＣ上で受信し得る。いくつかの例では、ブロック１５１０の動作は、図８を参照しながら本明細書で説明されたように、チャネル利用可能性モジュール８１０によって実行され得る。
【０１１４】
[0124]図１６は、本開示の様々な態様による、高速ｅＣＣアクティベーションのための方法１６００を示すフローチャートを示す。方法１６００の動作は、図１〜図１０および図１４を参照しながら説明されたようなＵＥ１１５またはそれの構成要素によって実施され得る。たとえば、方法１６００の動作は、図７〜図１０を参照しながら説明されたように高速ｅＣＣアクティベーションモジュール７１０によって実行され得る。いくつかの例では、ＵＥ１１５は、以下で説明される機能を実施するようにＵＥ１１５の機能要素を制御するためのコードのセットを実行し得る。追加または代替として、ＵＥ１１５は、専用ハードウェアを使用して、以下で説明される態様機能を実施し得る。方法１６００はまた、図１５の方法１５００の態様を組み込み得る。
【０１１５】
[0125]ブロック１６０５において、ＵＥ１１５は、図２〜図６を参照しながら本明細書で説明されたように、第１のＣＣと第２のＣＣとを含むＣＡ構成を示すシグナリングを受信し得る。いくつかの場合、第１のＣＣはプライマリキャリアを含んでよく、第２のＣＣはセカンダリキャリアを含んでよい。プライマリキャリア（または第１のＣＣ）およびセカンダリキャリア（または第２のＣＣ）は、認可周波数帯域幅または無認可周波数帯域幅を利用し得る。たとえば、プライマリキャリア（または第１のＣＣ）は認可周波数帯域幅を利用してよく、セカンダリキャリア（または第２のＣＣ）は無認可周波数帯域幅を利用してよい。いくつかの例では、ブロック１６０５の動作は、図８を参照しながら本明細書で説明されたように、ＣＡ構成モジュール８０５によって実行され得る。
【０１１６】
[0126]ブロック１６１０において、ＵＥ１１５は、図２〜図６を参照しながら本明細書で説明されたように、第２のＣＣ上のチャネル利用可能性を示す制御信号を第１のＣＣ上で受信し得る。いくつかの例では、ブロック１６１０の動作は、図８を参照しながら本明細書で説明されたように、チャネル利用可能性モジュール８１０によって実行され得る。
【０１１７】
[0127]ブロック１６１５において、ＵＥ１１５は、図２〜図６を参照しながら本明細書で説明されたように、受信された制御信号に応答して第２のＣＣをモニタし得る。いくつかの例では、ブロック１６１５の動作は、図９を参照しながら上記で説明されたように、ｅＣＣモニタリングモジュール９０５によって実行され得る。
【０１１８】
[0128]ブロック１６２０において、ＵＥ１１５は、図２〜図６を参照しながら上記で説明されたように、モニタリングに少なくとも部分的に基づいてモニタリングタイマーを始動し得る。いくつかの例では、ブロック１６２０の動作は、図９を参照しながら本明細書で説明されたように、モニタリングタイマーモジュール９１０によって実行され得る。ＵＥ１１５は、第２のＣＣ上でプリアンブル送信を受信してよく、ＵＥ１１５は、受信されたプリアンブル送信に応答してモニタリングタイマーを再始動してよい。代替として、ＵＥ１１５は、プリアンブル送信が第２のＣＣ上で受信される前にモニタリングタイマーが満了したと決定してよく、ＵＥ１１５は、第２のＣＣのモニタリングを終了してよい。
【０１１９】
[0129]図１７は、本開示の様々な態様による、高速ｅＣＣアクティベーションのための方法１７００を示すフローチャートを示す。方法１７００の動作は、図１〜図１０および図１４を参照しながら説明されたようなＵＥ１１５またはそれの構成要素によって実施され得る。たとえば、方法１７００の動作は、図７〜図１０を参照しながら説明されたように高速ｅＣＣアクティベーションモジュール７１０によって実行され得る。いくつかの例では、ＵＥ１１５は、以下で説明される機能を実施するようにＵＥ１１５の機能要素を制御するためのコードのセットを実行し得る。追加または代替として、ＵＥ１１５は、専用ハードウェアを使用して、以下で説明される態様機能を実施し得る。方法１７００はまた、図１５および図１６の方法１５００または１６００の態様を組み込み得る。
【０１２０】
[0130]ブロック１７０５において、ＵＥ１１５は、図２〜図６を参照しながら本明細書で説明されたように、第１のＣＣと第２のＣＣとを含むＣＡ構成を示すシグナリングを受信し得る。いくつかの場合、第１のＣＣはプライマリキャリアを含んでよく、第２のＣＣはセカンダリキャリアを含んでよい。プライマリキャリア（または第１のＣＣ）およびセカンダリキャリア（または第２のＣＣ）は、認可周波数帯域幅または無認可周波数帯域幅を利用し得る。たとえば、プライマリキャリア（または第１のＣＣ）は認可周波数帯域幅を利用してよく、セカンダリキャリア（または第２のＣＣ）は無認可周波数帯域幅を利用してよい。いくつかの例では、ブロック１７０５の動作は、図８を参照しながら本明細書で説明されたように、ＣＡ構成モジュール８０５によって実行され得る。
【０１２１】
[0131]ブロック１７１０において、ＵＥ１１５は、図２〜図６を参照しながら本明細書で説明されたように、第２のＣＣ上のチャネル利用可能性を示す制御信号を第１のＣＣ上で受信し得る。いくつかの例では、ブロック１７１０の動作は、図８を参照しながら本明細書で説明されたように、チャネル利用可能性モジュール８１０によって実行され得る。
【０１２２】
[0132]ブロック１７１５において、ＵＥ１１５は、図２、図４Ａ〜図５Ｂおよび図６を参照しながら本明細書で説明されたように、第１のＣＣ上でＰＤＣＣＨメッセージを受信してよく、ＰＤＣＣＨメッセージは第２のＣＣのリソースをスケジュールする。代替として、ＵＥ１１５は、図２、図３Ａ、図３Ｂおよび図６を参照しながら本明細書で説明されたように、第２のＣＣ上でＰＤＣＣＨまたはＰＤＳＣＨのメッセージを受信してよく、ＰＤＣＣＨまたはＰＤＳＣＨのメッセージは第２のＣＣのリソースをスケジュールしてよい。いくつかの例では、ブロック１７１５の動作は、図９を参照しながら本明細書で説明されたように、ＤＬ制御チャネルモジュール９１５によって実行され得る。
【０１２３】
[0133]図１８は、本開示の様々な態様による、高速ｅＣＣアクティベーションのための方法１８００を示すフローチャートを示す。方法１８００の動作は、図１〜図６および図１０〜図１４を参照しながら説明されたように、基地局１０５またはそれの構成要素によって実施され得る。たとえば、方法１８００の動作は、図１１〜図１４を参照しながら説明されたように基地局高速ｅＣＣアクティベーションモジュール１１１０によって実行され得る。いくつかの例では、基地局１０５は、以下で説明される機能を実施するように基地局１０５の機能要素を制御するためのコードのセットを実行し得る。追加または代替として、基地局１０５は、専用ハードウェアを使用して、以下で説明される態様機能を実施し得る。
【０１２４】
[0134]ブロック１８０５において、基地局１０５は、図２〜図６を参照しながら本明細書で説明されたように、第１のＣＣと第２のＣＣとを含むＣＡ構成を示すシグナリングを送信し得る。いくつかの場合、第１のＣＣはプライマリキャリアを含んでよく、第２のＣＣはセカンダリキャリアを含んでよい。プライマリキャリア（または第１のＣＣ）およびセカンダリキャリア（または第２のＣＣ）は、認可周波数帯域幅または無認可周波数帯域幅を利用し得る。たとえば、プライマリキャリア（または第１のＣＣ）は認可周波数帯域幅を利用してよく、セカンダリキャリア（または第２のＣＣ）は無認可周波数帯域幅を利用してよい。いくつかの例では、ブロック１８０５の動作は、図１２を参照しながら上記で説明されたように、ＢＳ  ＣＡ構成モジュール１２０５によって実行され得る。
【０１２５】
[0135]ブロック１８１０において、基地局１０５は、図２〜図６を参照しながら本明細書で説明されたように、第２のＣＣ上のチャネル利用可能性を示す制御信号を第１のＣＣ上で送信し得る。いくつかの例では、ブロック１８１０の動作は、図１２を参照しながら上記で説明されたように、ＢＳチャネル利用可能性モジュール１２１０によって実行され得る。
【０１２６】
[0136]図１９は、本開示の様々な態様による、高速ｅＣＣアクティベーションのための方法１９００を示すフローチャートを示す。方法１９００の動作は、図１〜図６および図１０〜図１４を参照しながら説明されたように、基地局１０５またはそれの構成要素によって実施され得る。たとえば、方法１９００の動作は、図１１〜図１４を参照しながら説明されたように基地局高速ｅＣＣアクティベーションモジュール１１１０によって実行され得る。いくつかの例では、基地局１０５は、以下で説明される機能を実施するように基地局１０５の機能要素を制御するためのコードのセットを実行し得る。追加または代替として、基地局１０５は、専用ハードウェアを使用して、以下で説明される態様機能を実施し得る。方法１９００はまた、図１８の方法１８００の態様を組み込み得る。
【０１２７】
[0137]ブロック１９０５において、基地局１０５は、図２〜図６を参照しながら本明細書で説明されたように、第１のＣＣと第２のＣＣとを含むＣＡ構成を示すシグナリングを送信し得る。いくつかの場合、第１のＣＣはプライマリキャリアを含んでよく、第２のＣＣはセカンダリキャリアを含んでよい。プライマリキャリア（または第１のＣＣ）およびセカンダリキャリア（または第２のＣＣ）は、認可周波数帯域幅または無認可周波数帯域幅を利用し得る。たとえば、プライマリキャリア（または第１のＣＣ）は認可周波数帯域幅を利用してよく、セカンダリキャリア（または第２のＣＣ）は無認可周波数帯域幅を利用してよい。いくつかの例では、ブロック１９０５の動作は、図１２を参照しながら上記で説明されたように、ＢＳ  ＣＡ構成モジュール１２０５によって実行され得る。
【０１２８】
[0138]ブロック１９１０において、基地局１０５は、図２〜図６を参照しながら本明細書で説明されたように、第２のＣＣ上のチャネル利用可能性を示す制御信号を第１のＣＣ上で送信し得る。いくつかの例では、ブロック１９１０の動作は、図１２を参照しながら本明細書で説明されたように、ＢＳチャネル利用可能性モジュール１２１０によって実行され得る。
【０１２９】
[0139]ブロック１９１５において、基地局１０５は、図２、図３Ａ、図３Ｂおよび図６を参照しながら本明細書で説明されたように、第２のＣＣ上でＰＤＣＣＨまたはＰＤＳＣＨを送信してよく、ＰＤＣＣＨまたはＰＤＳＣＨは第２のＣＣのリソースをスケジュールしてよい。いくつかの例では、ブロック１９１５の動作は、図１３を参照しながら本明細書で説明されたように、ＢＳ  ＤＬ制御チャネルモジュール１３２０によって実行され得る。
【０１３０】
[0140]図２０は、本開示の様々な態様による、高速ｅＣＣアクティベーションのための方法２０００を示すフローチャートを示す。方法２０００の動作は、図１〜図６および図１０〜図１４を参照しながら説明されたように、基地局１０５またはそれの構成要素によって実施され得る。たとえば、方法２０００の動作は、図１１〜図１４を参照しながら説明されたように基地局高速ｅＣＣアクティベーションモジュール１１１０によって実行され得る。いくつかの例では、基地局１０５は、以下で説明される機能を実施するように基地局１０５の機能要素を制御するためのコードのセットを実行し得る。追加または代替として、基地局１０５は、専用ハードウェアを使用して、以下で説明される態様機能を実施し得る。方法２０００はまた、図１８および図１９の方法１８００または１９００の態様を組み込み得る。
【０１３１】
[0141]ブロック２００５において、基地局１０５は、図２〜図６を参照しながら本明細書で説明されたように、第１のＣＣと第２のＣＣとを含むＣＡ構成を示すシグナリングを送信し得る。いくつかの場合、第１のＣＣはプライマリキャリアを含んでよく、第２のＣＣはセカンダリキャリアを含んでよい。プライマリキャリア（または第１のＣＣ）およびセカンダリキャリア（または第２のＣＣ）は、認可周波数帯域幅または無認可周波数帯域幅を利用し得る。たとえば、プライマリキャリア（または第１のＣＣ）は認可周波数帯域幅を利用してよく、セカンダリキャリア（または第２のＣＣ）は無認可周波数帯域幅を利用してよい。いくつかの例では、ブロック２００５の動作は、図１２を参照しながら本明細書で説明されたように、ＢＳ  ＣＡ構成モジュール１２０５によって実行され得る。
【０１３２】
[0142]ブロック２０１０において、基地局１０５は、図２〜図６を参照しながら本明細書で説明されたように、第２のＣＣ上のチャネル利用可能性を示す制御信号を第１のＣＣ上で送信し得る。いくつかの例では、ブロック２０１０の動作は、図１２を参照しながら本明細書で説明されたように、ＢＳチャネル利用可能性モジュール１２１０によって実行され得る。
【０１３３】
[0143]ブロック２０１５において、基地局１０５は、図２、図４Ａ〜図５Ｂおよび図６を参照しながら本明細書で説明されたように、第１のＣＣ上でＰＤＣＣＨメッセージを送信してよく、ＰＤＣＣＨメッセージは第２のＣＣのリソースをスケジュールしてよい。いくつかの例では、ブロック２０１５の動作は、図１３を参照しながら本明細書で説明されたように、ＢＳ  ＤＬ制御チャネルモジュール１３２０によって実行され得る。
【０１３４】
[0144]したがって、方法１５００、１６００、１７００、１８００、１９００および２０００は、高速ｅＣＣアクティベーションを提供し得る。方法１５００、１６００、１７００、１８００、１９００および２０００は可能な実装形態について説明していることと、動作およびステップは、他の実装形態が可能であるように、並べ替えられるかまたは場合によっては修正され得ることとに留意されたい。いくつかの例では、方法１５００、１６００、１７００、１８００、１９００および２０００のうちの２つ以上からの態様が組み合わされ得る。
【０１３５】
[0145]本明細書の説明は、例を与えるものであり、特許請求の範囲に記載される範囲、適用性、または例を限定するものではない。本開示の範囲から逸脱することなく、説明される要素の機能および構成において変更が行われ得る。様々な例は、適宜に、様々な手順または構成要素を、省略、置換、または追加し得る。また、いくつかの例に関して説明される特徴は、他の例において組み合わされ得る。
【０１３６】
[0146]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装することができる。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵｎｉｖｅｒｓａｌ  Ｍｏｂｉｌｅ  Ｔｅｌｅｃｏｍｍｕｎｉｃａｔｉｏｎｓ  ｓｙｓｔｅｍ（ＵＭＴＳ）の新しいリリースである。ＵＴＲＡ、Ｅ−ＵＴＲＡ、ＵＭＴＳ、ＬＴＥ、ＬＴＥ−Ａ、およびＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書に記載された技法は、上述されたシステムおよび無線技術ならびに他のシステムおよび無線技術に使用される場合がある。しかしながら、本明細書の説明は、例としてＬＴＥシステムを説明し、上記の説明の大部分においてＬＴＥ用語が使用されるが、本技法はＬＴＥの適用例以外に適用可能である。
【０１３７】
[0147]本明細書で説明されるそのようなネットワークを含むＬＴＥ／ＬＴＥ−Ａネットワークでは、発展型ノードＢ（ｅＮＢ）という用語は、概して、基地局を表すために使用され得る。本明細書で説明される１つまたは複数のワイヤレス通信システムは、異なるタイプのｅＮＢが様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを提供し得る。「セル」という用語は、文脈に応じて、基地局、基地局に関連付けられたキャリアもしくはＣＣ、またはキャリアもしくは基地局のカバレージエリア（たとえば、セクタなど）を記述するために使用され得る３ＧＰＰ用語である。
【０１３８】
[0148]基地局は、基地トランシーバ局、無線基地局、アクセスポイント、無線トランシーバ、ノードＢ、ｅノードＢ（ｅＮＢ）、ホームノードＢ、ホームｅノードＢ、またはいくつかの他の適切な用語を含むか、あるいはそれらの用語で当業者に呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することができる場合がある。異なる技術のための重複する地理的カバレージエリアがあり得る。
【０１３９】
[0149]マクロセルは、概して、比較的大きい地理的エリア（たとえば、半径数キロメートル）をカバーし、ネットワークプロバイダとのサービスに加入しているＵＥによる無制限アクセスを可能にすることができ得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているＵＥによる無制限アクセスを可能にすることができる。また、フェムトセルは、小さい地理的エリア（たとえば、自宅）をカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、ＣＣ）をサポートし得る。ＵＥは、マクロｅＮＢ、スモールセルｅＮＢ、リレー基地局などを含む、様々なタイプの基地局およびネットワーク機器と通信することができる場合がある。
【０１４０】
[0150]本明細書で説明される１つまたは複数のワイヤレス通信システムは、同期動作または非同期動作をサポートしてもよい。同期動作の場合、基地局は同様のフレームタイミングを有し得、異なる基地局からの送信は時間的にほぼ整合され得る。非同期動作の場合、基地局は、異なるフレームタイミングを有し得、異なる基地局からの送信は、時間的に整合されない場合がある。本明細書で説明する技法は、同期動作または非同期動作のいずれかのために使われ得る。
【０１４１】
[0151]本明細書で説明されるダウンリンク送信は、順方向リンク送信と呼ばれることもあり、アップリンク送信は、逆方向リンク送信と呼ばれることもある。たとえば、図１および図２のシステム１００および２００を含む、本明細書で説明される各通信リンクは１つまたは複数のキャリアを含んでよく、ここで各キャリアは複数のサブキャリアからなる信号（たとえば、異なる周波数の波形信号）であってよい。各々の変調される信号は、異なるサブキャリア上で送られることがあり、制御情報（たとえば、基準信号、制御チャネルなど）、オーバーヘッド情報、ユーザデータなどを搬送することがある。本明細書で説明される通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）について、フレーム構造が定義される場合がある。
【０１４２】
[0152]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスをブロック図の形式で示す。
【０１４３】
[0153]添付の図では、同様のコンポーネントまたは特徴は、同一の参照ラベルを有し得る。さらに、同じタイプの様々なコンポーネントが、参照ラベルの後に、ダッシュと、同様のコンポーネントを区別する第２のラベルとを続けることによって区別され得る。第１の参照ラベルだけが本明細書において使用される場合、その説明は、第２の参照ラベルにかかわらず、同じ第１の参照ラベルを有する同様のコンポーネントのいずれにも適用可能である。
【０１４４】
[0154]本明細書で説明される情報および信号は、多種多様な技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１４５】
[0155]本明細書の開示に関して説明された様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ（たとえば、ＤＳＰとマイクロプロセッサとの組合せ、複数のマイクロプロセッサ、ＤＳＰコアと連携する１つもしくは複数のマイクロプロセッサ、または任意の他のそのような構成）として実装され得る。
【０１４６】
[0156]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態が、本開示および添付の特許請求の範囲および趣旨内に入る。たとえば、ソフトウェアの性質により、上述した機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理的位置において機能の部分が実装されるように分散されることを含めて、様々な位置に物理的に配置され得る。特許請求の範囲を含めて、本明細書で使用される場合、「および／または」という用語は、２つ以上の項目の列挙中で使用されるとき、列挙された項目のうちのいずれか１つが単独で用いられ得ること、または列挙された項目のうちの２つ以上の任意の組合せが用いられ得ることを意味する。たとえば、組成が構成要素Ａ、Ｂ、および／またはＣを含んでいるものとして説明される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、［Ａ、Ｂ、またはＣのうちの少なくとも１つ］の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１４７】
[0157]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用もしくは専用コンピュータまたは汎用もしくは専用プロセッサによってアクセスされ得る任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記のものの組合せもコンピュータ可読媒体の範囲内に含まれる。
【０１４８】
[0158]本明細書の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2018506927.tif 000003
【図２】
2018506927.tif 000004
【図３Ａ】
2018506927.tif 000005
【図３Ｂ】
2018506927.tif 000006
【図４Ａ】
2018506927.tif 000007
【図４Ｂ】
2018506927.tif 000008
【図５Ａ】
2018506927.tif 000009
【図５Ｂ】
2018506927.tif 000010
【図６】
2018506927.tif 000011
【図７】
2018506927.tif 000012
【図８】
2018506927.tif 000013
【図９】
2018506927.tif 000014
【図１０】
2018506927.tif 000015
【図１１】
2018506927.tif 000016
【図１２】
2018506927.tif 000017
【図１３】
2018506927.tif 000018
【図１４】
2018506927.tif 000019
【図１５】
2018506927.tif 000020
【図１６】
2018506927.tif 000021
【図１７】
2018506927.tif 000022
【図１８】
2018506927.tif 000023
【図１９】
2018506927.tif 000024
【図２０】
2018506927.tif 000025
【国際調査報告】
2018506927.tif 000026
2018506927.tif 000027
2018506927.tif 000028
2018506927.tif 000029
2018506927.tif 000030
2018506927.tif 000031
2018506927.tif 000032